(57)【特許請求の範囲】
【請求項１】
回転開始部材の操作に基づいて複数の回胴を回転させ、回転停止部材の操作に基づいて前記複数の回胴の回転を停止させる遊技を行う遊技機において、
前記回転開始部材が操作されたときに、遊技媒体を投入せずに次の遊技を行うことを可能とする再遊技図柄組合せを含む複数の図柄組合せの中から、一または複数の図柄組合せを決定する図柄組合せ決定手段と、
予め定められた入賞ラインに所定の第１図柄組合せまたは該第１図柄組合せと異なる第２図柄組合せが停止表示されると、前記図柄組合せ決定手段により前記再遊技図柄組合せが決定される確率が通常よりも向上する再遊技高確率状態を発生させる再遊技高確率状態発生手段と、
前記図柄組合せ決定手段によって前記第１図柄組合せと前記第２図柄組合せとが重複して決定された場合に、前記第１図柄組合せと前記第２図柄組合せの両方をそれぞれ異なる入賞ラインに停止表示させる停止制御手段と、
前記図柄組合せ決定手段によって前記第１図柄組合せと前記第２図柄組合せとが重複して決定された場合に、前記第２図柄組合せが停止表示する入賞ラインの数よりも前記第１図柄組合せが停止表示する入賞ラインの数の方が多くなるように前記回胴を停止させる第１停止制御、または前記第１図柄組合せが停止表示する入賞ラインの数よりも前記第２図柄組合せが停止表示する入賞ラインの数の方が多くなるように前記回胴を停止させる第２停止制御が、実行される場合には、前記第１図柄組合せが停止表示される入賞ラインの数と、前記第２図柄組合せが停止表示される入賞ラインの数との差に基づき、前記再遊技高確率状態の態様を決定する再遊技高確率状態態様決定手段とを備え、
前記停止制御手段は、
前記第１停止制御と前記第２停止制御と、のいずれかを実行可能であり、
前記再遊技高確率状態発生手段は、
前記第１図柄組合せに対応する第１の再遊技高確率状態と、該第１の再遊技高確率状態と異なる態様の再遊技高確率状態であって、前記第２図柄組合せに対応する第２の再遊技高確率状態と、のいずれかを発生させ、
前記第１停止制御または前記第２停止制御が実行された場合には、前記第１図柄組合せと前記第２図柄組合せのうち、少ない数の前記入賞ラインに停止表示した図柄組合せに対応する前記再遊技高確率状態を発生させる
ことを特徴とする遊技機。
【発明の詳細な説明】
【技術分野】
【０００１】
本発明は、遊技球や遊技メダル等を用いて遊技が行われる遊技機に関し、特に、外周面に複数種類の図柄が描かれた回胴を回転させ、該回胴が停止したときの図柄組合せに応じて、所定の特典が遊技者に付与される遊技を行う遊技機に関する。
【背景技術】
【０００２】
複数種類の図柄が描かれた回胴を回転させ、所定の図柄組合せを停止表示させることによって図柄変動遊技を行う遊技機が広く知られている。こうした遊技機では、遊技者が、遊技メダル等の遊技媒体を投入（ベット）してスタートレバー等の回転開始部材を操作すると、回胴の回転が開始される。続いて、回胴に対応して設けられた停止ボタン等の回転停止部材を操作することによって回胴を停止させる。その結果、遊技役に対応する図柄組合せが入賞ライン上に停止表示されることで、該遊技役の入賞が成立すると、該遊技役に応じた特典が付与される。通常、このような遊技機では、遊技役として再遊技役が設定されている。再遊技役は、遊技媒体を新たに投入しなくても次の遊技を開始できる遊技役である。
【０００３】
近年では、特定の図柄組合せが特定ライン上に停止表示すると、再遊技役の入賞確率が通常よりも高まる再遊技高確率状態（いわゆるリプレイタイム状態）を発生させる遊技機が存在する。そして、このような遊技機の中には、再遊技高確率状態を発生させる契機となった特定の図柄組合せの種類に応じて、再遊技高確率状態の態様（発生期間等）を変化させる技術が提案されている（特許文献１）。
【先行技術文献】
【特許文献】
【０００４】
【特許文献１】特開２００５−２０４９２２号公報
【発明の概要】
【発明が解決しようとする課題】
【０００５】
しかしながら、特許文献１の遊技機では、停止表示された特定の図柄組合せの種類によって、いずれの態様の再遊技高確率状態が発生するか一目瞭然であり、再遊技高確率状態の発生時における面白みがなく、遊技興趣を向上させるのが困難であった。
【０００６】
本発明は、従来の遊技機における上述した課題を解決するためになされたものであり、再遊技高確率状態の発生時における遊技興趣を向上させることが可能な遊技機を提供することを目的とする。
【課題を解決するための手段】
【０００７】
上述した課題の少なくとも一部を解決するために、本発明の遊技機は次の構成を採用した。すなわち、
回転開始部材の操作に基づいて複数の回胴を回転させ、回転停止部材の操作に基づいて前記複数の回胴の回転を停止させる遊技を行う遊技機において、
前記回転開始部材が操作されたときに、遊技媒体を投入せずに次の遊技を行うことを可能とする再遊技図柄組合せを含む複数の図柄組合せの中から、一または複数の図柄組合せを決定する図柄組合せ決定手段と、
予め定められた入賞ラインに所定の第１図柄組合せまたは該第１図柄組合せと異なる第２図柄組合せが停止表示されると、前記図柄組合せ決定手段により前記再遊技図柄組合せが決定される確率が通常よりも向上する再遊技高確率状態を発生させる再遊技高確率状態発生手段と、
前記図柄組合せ決定手段によって前記第１図柄組合せと前記第２図柄組合せとが重複して決定された場合に、前記第１図柄組合せと前記第２図柄組合せの両方をそれぞれ異なる入賞ラインに停止表示させる停止制御手段と、
前記図柄組合せ決定手段によって前記第１図柄組合せと前記第２図柄組合せとが重複して決定された場合に、前記第２図柄組合せが停止表示する入賞ラインの数よりも前記第１図柄組合せが停止表示する入賞ラインの数の方が多くなるように前記回胴を停止させる第１停止制御、または前記第１図柄組合せが停止表示する入賞ラインの数よりも前記第２図柄組合せが停止表示する入賞ラインの数の方が多くなるように前記回胴を停止させる第２停止制御が、実行される場合には、前記第１図柄組合せが停止表示される入賞ラインの数と、前記第２図柄組合せが停止表示される入賞ラインの数との差に基づき、前記再遊技高確率状態の態様を決定する再遊技高確率状態態様決定手段とを備え、
前記停止制御手段は、
前記第１停止制御と前記第２停止制御と、のいずれかを実行可能であり、
前記再遊技高確率状態発生手段は、
前記第１図柄組合せに対応する第１の再遊技高確率状態と、該第１の再遊技高確率状態と異なる態様の再遊技高確率状態であって、前記第２図柄組合せに対応する第２の再遊技高確率状態と、のいずれかを発生させ、
前記第１停止制御または前記第２停止制御が実行された場合には、前記第１図柄組合せと前記第２図柄組合せのうち、少ない数の前記入賞ラインに停止表示した図柄組合せに対応する前記再遊技高確率状態を発生させる
ことを特徴とする。
【０００８】
このような構成によれば、第１の再遊技高確率状態を発生させる第１図柄組合せと、第２の再遊技高確率状態を発生させる第２図柄組合せとが互いに異なる入賞ラインに同時に停止表示する際に、第１図柄組合せと第２図柄組合せのうち、少ない数の入賞ラインに停止表示した図柄組合せに対応する再遊技高確率状態を発生させる。これにより、第１図柄組合せが停止表示された入賞ライン数と第２図柄組合せが停止表示された入賞ライン数とに遊技者を注目させる新たなゲーム性が実現できる。この結果、再遊技高確率状態の発生時に新たな面白みを付加し、従来に比して遊技興趣を向上させることが可能となる。
【０００９】
尚、「第１の再遊技高確率状態」と「第２の再遊技高確率状態」は、互いに異なる態様で遊技が進行するものであればよく、例えば、「一方の再遊技高確率状態中の利益率が他方に比して高いこと」等が挙げられる。具体的には、「一方の再遊技高確率状態の発生期間が他方に比して長いこと」や「一方の再遊技高確率状態中の再遊技図柄組み合わせの停止表示頻度が他方に比して高いこと」等が挙げられる。
【００１１】
また、再遊技高確率状態を発生させる場合において、再遊技高確率状態の発生態様を、第１図柄組合せが停止表示された入賞ライン数と、第２図柄組合せが停止表示された入賞ライン数との差に応じて決定する。従って、第１図柄組合せが停止表示された入賞ライン数と第２図柄組合せが停止表示された入賞ライン数だけでなく、当該ライン数の差にも注目させる新たなゲーム性が実現でき、遊技興趣を一層高めることが可能となる。
【００１２】
また、上述した遊技機においては、
前記第１図柄組合せおよび前記第２図柄組合せの少なくとも一方に対応付けて、複数種類の図柄組合せが記憶されている
ことを特徴とする。
【００１３】
これらの構成によれば、遊技者に注目させる図柄組合せを多様にすることができ、遊技興趣を高めることが可能となる。
【発明の効果】
【００１４】
本発明によれば、再遊技高確率状態の発生時における遊技興趣を向上させることができる。
【図面の簡単な説明】
【００１５】
【図１】本実施例の回胴式遊技機の外観を示す正面図である。
【図２】本実施例の前面扉を開いて遊技機の内部の構成を示した斜視図である。
【図３】本実施例の３つの回胴の外周面に表示された図柄の配列を示す説明図である。
【図４】本実施例の回胴式遊技機の電気的構成を示す説明図である。
【図５】本実施例の遊技機に設定されている入賞ラインを示した説明図である。
【図６】本実施例の回胴式遊技機に設定されている遊技役を、遊技役の入賞を成立させる図柄組合せ、および入賞成立によって付与される特典と対応付けて示した説明図である。
【図７】本実施例の回胴式遊技機において主制御基板が行う遊技制御処理を示すフローチャートである。
【図８】本実施例の回胴式遊技機において主制御基板が行う遊技制御処理を示すフローチャートである。
【図９】本実施例の通常状態用抽選テーブルを概念的に示した説明図である。
【図１０】本実施例の内部当選フラグの構成を例示した説明図である。
【図１１】本実施例の遊技状態フラグ等の構成を例示した説明図である。
【図１２】本実施例の遊技状態設定処理を示すフローチャートである。
【図１３】本実施例の遊技状態設定処理を示すフローチャートである。
【図１４】本実施例のＢＢ状態用抽選テーブルを概念的に示した説明図である。
【図１５】本実施例のチャンスＲＴ状態用抽選テーブルを概念的に示した説明図である。
【図１６】本実施例の特殊ＲＴ状態用抽選テーブルを概念的に示した説明図である。
【図１７】本実施例の投入操作受付処理を示すフローチャートである。
【図１８】本実施例の回胴回転停止処理を示すフローチャートである。
【図１９】本実施例の回胴停止制御処理を示すフローチャートである。
【図２０】本実施例の第１停止テーブルの１つを例示した説明図である。
【図２１】第１回胴として左回胴を停止する様子を例示した説明図である。
【図２２】本実施例の第１停止テーブルと第２停止テーブルとの関係を示した説明図である。
【図２３】本実施例の特殊再遊技役対応処理を示すフローチャートである。
【図２４】本実施例の各特殊再遊技役の入賞態様を示す説明図である。
【図２５】本実施例の各特殊再遊技役の入賞態様を示す説明図である。
【図２６】本実施例の特殊ＲＴ状態開始処理を示すフローチャートである。
【図２７】本実施例の特殊ＲＴ状態開始処理を示すフローチャートである。
【図２８】本実施例の「特殊再遊技役入賞ライン記憶領域」および「特殊再遊技役入賞ライン数記憶領域」を概念的に示す説明図である。
【図２９】本実施例のフリーズ処理を示すフローチャートである。
【図３０】本実施例のフリーズ処理を示すフローチャートである。
【図３１】本実施例のサブ制御基板２２０に搭載されているＣＰＵ２２１が実行する特殊ＲＴ状態継続期間報知処理を示すフローチャートである。
【図３２】本実施例のサブ制御基板２２０に搭載されているＣＰＵ２２１が実行する特殊ＲＴ状態継続期間報知処理を示すフローチャートである。
【図３３】本実施例の入賞ラインの点灯態様を例示する説明図である。
【図３４】本変形例の特殊ＲＴ状態開始処理の一部を示すフローチャートである。
【発明を実施するための形態】
【００１６】
上述した本発明の内容を明確にするために、本発明を回胴式遊技機に適用した実施例について説明する。尚、以下では、図柄変動遊技を単に遊技とも表記する。
【００１７】
Ａ．回胴式遊技機の装置構成  ：
Ａ−１．全体構成  ：
図１は、回胴式遊技機１（以下、「遊技機１」と略記）の外観を示す正面図である。図１に示すように、遊技機１には、箱状に形成された筐体３と、筐体３の前面側を覆うようにして設けられた前面扉２などが設けられている。前面扉２は、実際に遊技が行われる中段の領域と、遊技の進行に応じて種々の演出が行われる上段の領域２ｕと、遊技メダルが払い出される下段の領域２ｄとの大きく３つの領域から構成され、更に中段の領域は、遊技の状態を表示するための遊技状態表示部２ｍａと、遊技を行うための操作部２ｍｂとから構成されている。
【００１８】
上段の領域２ｕには、中央に演出表示装置１０が設けられ、演出表示装置１０の左右にはスピーカ１４が設けられ、演出表示装置１０およびスピーカ１４の上方には、各種のランプ類１２が設けられている。演出表示装置１０は、いわゆる液晶表示装置によって構成されており、遊技の進行状況に合わせて種々の図柄を表示して演出を行うことが可能となっている。
【００１９】
前面扉２の中段に設けられた遊技状態表示部２ｍａの中央には、大きな表示窓２０が設けられており、内部に設けられた３つの回胴２０ａ，２０ｂ，２０ｃが回転する様子を視認可能となっている。また、表示窓２０の左右および下方には、遊技の状態を表示する各種の表示パネル類２２が設けられている。
【００２０】
前面扉２の中段下方に設けられた操作部２ｍｂは、手前に向かって突出した形状に形成されており、上面には、遊技メダルを投入するための遊技メダル投入口３０と、クレジットとして貯留されている遊技メダルを、１ゲームに要する枚数だけ投入するための投入ボタン３４などが設けられている。尚、遊技メダルの貯留とは、遊技メダル投入口３０から遊技機１に投入された遊技メダルの枚数が規定数（１ゲームに要する遊技メダル枚数の上限）を超えた場合にその超えた分をデータとして記憶しておくこと、あるいは、遊技メダルを実際に払い出す代わりにメダルの払い出し枚数をデータとして記憶しておくことをいう。また、操作部２ｍｂの前面には、遊技メダルの投入後に回胴２０ａ，２０ｂ，２０ｃの回転を開始するためのスタートレバー３６と、３つの回胴２０ａ，２０ｂ，２０ｃの回転をそれぞれ停止させるための回胴停止ボタン３８ａ，３８ｂ，３８ｃなどが設けられている。
【００２１】
加えて、操作部２ｍｂには、上面に精算ボタン４０、および前面に返却ボタン４２が設けられている。ここで、精算ボタン４０とは、遊技機１の内部に貯留されている遊技メダルを外部に払い出す際に操作するボタンである。遊技メダルの投入後も、スタートレバー３６を操作して回胴２０ａ，２０ｂ，２０ｃの回転を開始するまでの間であれば、投入済みの遊技メダルも精算ボタン４０を操作することによって払い出すことが可能である。また、返却ボタン４２とは、遊技メダル投入口３０から投入された遊技メダルが遊技機１の内部で詰まった場合に、遊技メダルの詰まりを解消するために操作されるボタンである。
【００２２】
前面扉２の下段の領域２ｄには、遊技メダルが払い出される遊技メダル払出口５０と、払い出された遊技メダルを受け止める受け皿５２などが設けられている。
【００２３】
図２は、前面扉２を開いて遊技機１の内部の構成を示した斜視図である。前面扉２の裏面側上部には、演出表示装置１０が取り付けられており、その左右には一対のスピーカ１４が取り付けられている。
【００２４】
前面扉２のほぼ中央には表示窓２０が設けられており、その下方には、後述する扉基板２４０が設けられている。また、扉基板２４０の下方には、回胴停止ボタン３８ａ，３８ｂ，３８ｃや、スタートレバー３６が取り付けられている。
【００２５】
回胴停止ボタン３８ａ，３８ｂ，３８ｃの左方には、遊技メダル投入口３０から投入された遊技メダルの通路となるメダルセレクタ１０６が設けられており、その下方には、遊技メダルを遊技メダル払出口５０に導くためのコインシュータ１０８などが設けられている。メダルセレクタ１０６は、遊技メダル投入口３０から投入された遊技メダルを主に寸法に基づいて選別し、規格寸法に適合した遊技メダルだけを受け入れる機能を有している。遊技者がスタートレバー３６を操作する前に遊技メダルが投入されると、遊技メダルはメダルセレクタ１０６によって選別され、規格を満足しているものだけがホッパー１１６内に受け入れられ、規格を満たしていないメダルは、コインシュータ１０８を通って、遊技メダル払出口５０に返却されるようになっている。
【００２６】
これに対して、スタートレバー３６が操作された後に遊技メダルが遊技メダル投入口３０から投入された場合は、メダルセレクタ１０６内の通路が切り換わり、該遊技メダルはコインシュータ１０８を通って、遊技メダル払出口５０に返却される。また、メダルセレクタ１０６の内部には、図示しないメダルセンサが設けられており、寸法規格を満たして受け入れられた遊技メダルが通過すると、メダルセンサによって検出されて、その信号が後述する主制御基板２００に供給されるようになっている。
【００２７】
このような前面扉２が取り付けられる筐体３のほぼ中央には、３つの回胴２０ａ，２０ｂ，２０ｃが設けられており、各回胴の外周面には、後述するように複数種類の図柄が描かれている。これら回胴の上方には、遊技全体の制御を司る後述する主制御基板２００が格納された主制御基板ユニット１１０が設けられており、回胴の背後には、各回胴を駆動するための後述する回胴基板２６０が格納された回胴基板ユニット１１２が設けられている。また、回胴の左方には、図１に示した演出表示装置１０や、各種ランプ類１２、スピーカ１４などを用いて行われる各種演出の制御を司る後述するサブ制御基板２２０が格納されたサブ制御基板ユニット１１１が設けられている。
【００２８】
３つの回胴２０ａ，２０ｂ，２０ｃの下方には、リアスピーカ１１４が設けられ、更にその下方には、遊技メダル投入口３０から投入された遊技メダルが集められるホッパー１１６や、遊技メダルを払い出すメダル払出装置１１８、遊技機１全体に電源を供給するための後述する電源基板２８０が格納された電源ユニット１２０などが搭載されている。メダル払出装置１１８から払い出された遊技メダルは、コインシュータ１０８を通って、遊技メダル払出口５０から払い出されるようになっている。また、電源ユニット１２０の前面には、遊技機１の電源を入れるための電源スイッチ１２０ｓも設けられている。
【００２９】
図３は、３つの回胴２０ａ，２０ｂ，２０ｃの外周面に描かれた図柄の配列を示す説明図である。各回胴には、何れも２１個の図柄が外周面に描かれている。また、何れの回胴についても、描かれている図柄の種類は同じであるが、図柄の配列については回胴毎に異なる配列に設定されている。
【００３０】
Ａ−２．電気的構成  ：
図４は、本実施例に係る遊技機１の電気的構成を示す説明図である。図４に示すように、遊技機１には、主制御基板２００を中心として、サブ制御基板２２０、扉基板２４０、回胴基板２６０、電源基板２８０、中継基板３００等がデータを通信可能に接続されて構成されている。
【００３１】
主制御基板２００は、遊技機１で行われる遊技全体の進行や演出を司る基板である。この主制御基板２００には、ＣＰＵ２０１、ＲＯＭ２０２、ＲＡＭ２０３などがバスによって互いにデータを通信可能に接続されて搭載されており、前面扉２に搭載された扉基板２４０から、スタートレバー３６が操作されたことを示す信号などを受け取って、後述する遊技制御処理を実行しながら、サブ制御基板２２０や、扉基板２４０、回胴基板２６０などに向かって制御コマンド（あるいは制御信号）を送信することにより、これら各種基板の動作を制御している。
【００３２】
サブ制御基板２２０も、上述した主制御基板２００と同様に、ＣＰＵ２２１や、ＲＯＭ２２２、ＲＡＭ２２３などがバスによって互いにデータを通信可能に接続されて構成されている。また、サブ制御基板２２０には、各種のランプ類１２や、各種のスピーカ１４，１１４、演出表示装置１０、回胴バックライト２０Ｌなどが接続されている。ここで回胴バックライト２０Ｌとは、各回胴２０ａ，２０ｂ，２０ｃの内部に設けられ、回胴の表面に描かれた図柄（図３参照）を裏側から照らすライトである。サブ制御基板２２０は、主制御基板２００から受け取った制御コマンドを解析して、各種ランプ類１２、各種スピーカ１４，１１４、演出表示装置１０、回胴バックライト２０Ｌにそれぞれ駆動信号を出力することにより、各種の演出を行っている。
【００３３】
扉基板２４０には、メダルセレクタ１０６や、貯留されている遊技メダルを投入するための投入ボタン３４、回胴の回転を開始するためのスタートレバー３６、回転している回胴を停止させるための回胴停止ボタン３８ａ，３８ｂ，３８ｃ、貯留されている遊技メダルや投入された遊技メダルを払い出して遊技を終了するための精算ボタン４０、遊技の状態を表示する各種の表示パネル２２などが接続されている。また、この扉基板２４０は、前述した主制御基板２００とデータを通信可能に接続されている。このため、前面扉２に設けられたスタートレバー３６や、回胴停止ボタン３８ａ，３８ｂ，３８ｃ、投入ボタン３４、精算ボタン４０などを操作すると、扉基板２４０を介して、その信号が主制御基板２００に供給されるようになっている。また、メダルセレクタ１０６が、内蔵するメダルセンサによって遊技メダルの通過を検出した信号も、扉基板２４０を介して主制御基板２００に供給される。
【００３４】
回胴基板２６０には、３つの回胴２０ａ，２０ｂ，２０ｃをそれぞれ回転させるための回胴モータ２４ａ，２４ｂ，２４ｃと、それぞれの回胴の回転位置を検出するための回胴センサ２６ａ，２６ｂ，２６ｃなどが接続されている。回胴基板２６０は、回胴センサ２６ａ，２６ｂ，２６ｃによって、各回胴２０ａ，２０ｂ，２０ｃの回転位置を検出しながら、回胴モータ２４ａ，２４ｂ，２４ｃを駆動することにより、それぞれの回胴２０ａ，２０ｂ，２０ｃを、所望の位置で停止させることが可能となっている。尚、本実施例の遊技機１では、回胴モータ２４ａ，２４ｂ，２４ｃには、いわゆるステッピングモータが使用されている。
【００３５】
また、メダル払出装置１１８は、中継基板３００を介して、主制御基板２００に接続されており、主制御基板２００からの制御信号に基づいて、所定枚数の遊技メダルを払い出す動作を行う。
【００３６】
これら各種制御基板、および基板で消費される電力は、電源基板２８０から供給されている。図４では、電源基板２８０から電力が供給される様子を破線の矢印で表している。図示されているように、主制御基板２００およびサブ制御基板２２０には、電源基板２８０から直接電力が供給されており、各種基板（扉基板２４０、回胴基板２６０、中継基板３００）には、主制御基板２００を介して電力が供給されている。電源基板２８０には１００Ｖの交流電圧が供給されており、この電力を規定電圧の直流電圧に変換した後、それぞれの制御基板および基板に供給している。
【００３７】
Ｂ．遊技の概要  ：
以下では、上記の構成を有する回胴式の遊技機１において、遊技を進行するために行われる制御の内容について説明するが、その準備として、回胴式遊技機で行われる遊技の概要を説明しておく。
【００３８】
遊技を開始するにあたっては、遊技メダル投入口３０から遊技メダルを入れて、遊技を開始するのに必要な枚数（規定数）の遊技メダルの投入を行う。本実施例の遊技機１では、規定数は「３枚」に固定されており、３枚の遊技メダルを投入すると、スタートレバー３６の操作が有効化される。また、遊技メダルがクレジットとして予め内部に貯留されている場合は、投入ボタン３４を押すことによって規定数の遊技メダルを投入することも可能である。
【００３９】
規定数の遊技メダルを投入して、スタートレバー３６を操作すると、３つの回胴２０ａ，２０ｂ，２０ｃが回転を開始する。図３を用いて前述したように、各回胴には複数の図柄が描かれているため、回胴が回転すると、表示窓２０では、これら図柄が変動表示されることになる。また、図１を用いて前述したように、前面扉２の前面側には、各回胴に対応して３つの回胴停止ボタン３８ａ，３８ｂ，３８ｃが設けられている。回胴２０ａ，２０ｂ，２０ｃの回転中に回胴停止ボタン３８ａ，３８ｂ，３８ｃを操作すると、操作したボタンに対応する回胴が回転を停止し、これに伴って、表示窓２０では、変動表示されていた図柄が何れかの図柄で停止表示される。このようにして、３つの回胴２０ａ，２０ｂ，２０ｃの回転を停止させると、それぞれの回胴で何れかの図柄が停止表示される。本実施例の遊技機１では、表示窓２０の大きさは、各回胴あたり３つずつ、図柄が表示されるような大きさに設定されている。結局、３つの回胴２０ａ，２０ｂ，２０ｃが停止表示されると、表示窓２０には、３行３列の合計９つの図柄が表示されるようになる。また、これら９つの図柄が表示される位置には、複数本の入賞ラインが予め設定されている。
【００４０】
図５は、本実施例の遊技機１に設定されている入賞ラインを示した説明図である。図示されているように、本実施例の遊技機１では、上段の入賞ラインＬ１と、中段の入賞ラインＬ２と、下段の入賞ラインＬ３と、右斜め上方向きの入賞ラインＬ４と、右斜め下方向きの入賞ラインＬ５の合計５本の入賞ラインが設定されている。そして、３つの回胴２０ａ，２０ｂ，２０ｃが停止すると、これらの入賞ラインには、何らかの図柄組合せが停止表示される。そして、入賞ライン上に揃った図柄組合せが、何れかの遊技役に対応する図柄組合せであった場合には、その遊技役の入賞が成立し、遊技役に応じた特典が遊技者に付与される。
【００４１】
図６は、本実施例の遊技機１に設定されている遊技役の種類を、その遊技役の入賞を成立させる図柄組合せ、および遊技役の入賞が成立したときに遊技者に付与される特典と対応付けて示した説明図である。図６では、左端の欄に遊技役の種類が表示され、中央の欄には遊技役の入賞を成立させる図柄組合せが表示され、右端の欄には遊技役の入賞が成立したときに遊技者に付与される特典が表示されている。例えば、最上部の二段に示したビッグボーナス役（以下、ボーナス役）と呼ばれる遊技役には、「赤セブン」と呼ばれる図柄の揃った図柄組合せ、および「青セブン」と呼ばれる図柄の揃った図柄組合せが対応付けられており、この図柄組合せで揃うと、特典として、ビッグボーナス状態（以下、ＢＢ状態）と呼ばれる遊技者にとって有利な遊技状態が開始される。本実施例のＢＢ状態は、通常の遊技状態（以下、通常状態）に比べて後述の遊技役の入賞確率が高まり、遊技メダルを払い出す頻度が向上する高い確率で成立する遊技状態であり、ＢＢ状態の開始後に所定枚数（例えば、４００枚）の遊技メダルが払い出されるまで継続される。そのため、ＢＢ状態が開始されると、遊技者は多量の遊技メダルを獲得することができる。尚、以下では、「赤セブン」の揃った図柄組合せのボーナス役を「赤セブンのボーナス役」、「青セブン」の揃った図柄組合せのボーナス役を「青セブンのボーナス役」とも表記し、これらを特に区別しない場合は単に「ボーナス役」と表記する。
【００４２】
また、ベル役という遊技役には、３つの回胴２０ａ，２０ｂ，２０ｃが何れも「ベル」の図柄で揃った図柄組合せが設定されており、このベル役の入賞成立に対する特典としては、１５枚の遊技メダルが遊技者に払い出されるように設定されている。スイカ役という遊技役には、３つの回胴２０ａ，２０ｂ，２０ｃが何れも「スイカ」の図柄で揃った図柄組合せが設定されており、このスイカ役の入賞成立に対する特典としては、１０枚の遊技メダルが遊技者に払い出されるように設定されている。チェリー役という遊技役には、左回胴２０ａの図柄が「チェリー」の図柄であれば、中回胴２０ｂおよび右回胴２０ｃの図柄はどのような図柄であっても構わない図柄組合せが設定されており、チェリー役の入賞成立に対する特典としては、２枚の遊技メダルが払い出されるように設定されている。また、増加役という遊技役には、左回胴２０ａが「ベル」の図柄、中回胴２０ｂが「リプレイ」の図柄、右回胴２０ｃが「リプレイ」の図柄の図柄組合せ（以下では、「ベル」−「リプレイ」−「リプレイ」と表記する）が設定されており、この増加役の入賞成立に対する特典としては、１５枚の遊技メダルが遊技者に払い出されるように設定されている。また、再遊技役という遊技役には、３つの回胴２０ａ，２０ｂ，２０ｃが何れも「リプレイ」の図柄で揃った図柄組合せが設定されており、この再遊技役の入賞成立に対する特典としては、新たな遊技メダルを投入することなく、もう一度、遊技（再遊技）を行うことができる。すなわち、再遊技役の入賞成立時に投入していた遊技メダルと同じ枚数だけ、遊技メダルが投入されたものとして、もう一度遊技を行うことが可能となる。
【００４３】
さらに、本実施例の遊技機１には、３種類の特殊再遊技役が設定されている。これらの特殊再遊技役の入賞成立に対する特典としても、上述の再遊技役の特典と同じ再遊技が設定されている。なかでも、特殊再遊技役Ａには、左回胴２０ａが「リプレイ」の図柄、中回胴２０ｂが「ベル」の図柄、右回胴２０ｃが「ベル」の図柄の図柄組合せ（以下では、「リプレイ」−「ベル」−「ベル」と表記する）が設定されており、特殊再遊技役Ｂには、左回胴２０ａが「リプレイ」の図柄、中回胴２０ｂが「ベル」の図柄、右回胴２０ｃが「リプレイ」の図柄の図柄組合せ（以下では、「リプレイ」−「ベル」−「リプレイ」と表記する）が設定されており、特殊再遊技役Ｃには、左回胴２０ａが「リプレイ」の図柄、中回胴２０ｂが「リプレイ」の図柄、右回胴２０ｃが「ベル」の図柄の図柄組合せ（以下では、「リプレイ」−「リプレイ」−「ベル」と表記する）が設定されている。
【００４４】
もちろん、回胴２０ａ，２０ｂ，２０ｃが停止したときに、何れかの遊技役の入賞が成立するとは限らない。この場合は、再び規定数の遊技メダルを投入した後、スタートレバー３６を操作して回胴を回転させることによって、次の遊技を行う。本実施例の遊技機１では、こうした操作を繰り返し行うことによって遊技が進行するようになっている。こうした遊技の進行は、主制御基板２００に搭載されたＣＰＵ２０１によって制御されている。以下では、主制御基板２００のＣＰＵ２０１が遊技の進行を制御するために行っている処理内容について説明する。
【００４５】
Ｃ．回胴式遊技機の制御内容  ：
Ｃ−１．遊技制御処理  ：
図７および図８は、本実施例の遊技機１において主制御基板２００のＣＰＵ２０１が行う遊技制御処理を示すフローチャートである。この遊技制御処理は、遊技機１に電源が入れられて、更に主制御基板２００や、サブ制御基板２２０に搭載されたＲＯＭのチェックサムなどの初期化処理が行われた後に実行される処理である。
【００４６】
図７に示すように、遊技制御処理を開始すると、先ず初めに遊技状態設定処理（ステップ１００。以下、ステップを「Ｓ」と略記する）を行う。遊技状態設定処理の詳細については後述するが、この処理では、大まかには次のような処理を行う。本実施例の遊技機１では、遊技状態として、遊技状態として、前述した通常状態およびＢＢ状態の他に、後述するリプレイタイム状態（ＲＴ状態）が設けられており、遊技状態に応じて遊技役の入賞の成立し易さや、入賞の成立し得る遊技役の種類等が異なっている。遊技状態設定処理では、現在の遊技状態が何れであるかを検出するとともに終了条件が満たされたか否かを判断し、終了条件が満たされた場合には、その遊技状態を終了させて、遊技状態を切り換える処理を行う。こうして遊技状態を切り換えることで、遊技が単調になることを回避することが可能となる。尚、各遊技状態についても、後に詳しく説明する。
【００４７】
遊技状態設定処理に続いて、投入操作有効化処理を行う（Ｓ１０２）。前述したように、本実施例の遊技機１は、規定数の遊技メダルが投入された後、スタートレバー３６の操作を検出すると回胴２０ａ，２０ｂ，２０ｃが回転を開始する。投入操作有効化処理では、このような遊技メダルを投入する操作の受付を有効にする（遊技メダルの投入操作を検出可能にする）ための処理を行う。
【００４８】
投入操作有効化処理を行ったら（Ｓ１０２）、精算ボタン４０が操作されたか否かの確認を行う（Ｓ１０６）。すなわち、後述のスタートレバー３６の操作が検出される前であれば、投入した遊技メダルも含めてメダルを精算することが可能となっている。そして、精算ボタン４０が操作されていた場合には（Ｓ１０６：ｙｅｓ）、精算処理を行うことにより、データとして貯留されている遊技メダルおよび投入した遊技メダルを払い出す処理を行う（Ｓ１２２）。遊技メダルの払い出しは、主制御基板２００からメダル払出装置１１８に向けて、払い出すべき遊技メダルの枚数を指示する制御信号を出力することによって行われる。こうして遊技メダルを払い出したら、遊技の開始前の状態（Ｓ１００）に戻って、以降の処理を行う。
【００４９】
投入操作有効化処理を行った後（Ｓ１０２）、精算ボタン４０が操作されていないと判断した場合は（Ｓ１０６：ｎｏ）、続いて、投入操作受付処理を行う（Ｓ１０８）。詳しくは後述するが、投入操作受付処理では、規定数の遊技メダルが投入されたか否かを判断して、規定数の遊技メダルが投入された場合には投入完了フラグをＯＮに設定する処理を行う。投入完了フラグは、規定数の遊技メダルが投入されたか否かを示すフラグであり、主制御基板２００に搭載されたＲＡＭ２０３の所定アドレスにその記憶領域が確保されている。
【００５０】
投入操作受付処理を行ったら（Ｓ１０８）、投入完了フラグがＯＮに設定されているか否か、すなわち、規定数の遊技メダルが投入されたか否かを判断する（Ｓ１１０）。その結果、規定数の遊技メダルが投入されていない場合は（Ｓ１１０：ｎｏ）、精算ボタン４０の操作の有無を確認しながら（Ｓ１０６）、規定数の遊技メダルが投入されるまで待機する。これに対して、規定数の遊技メダルが投入されている場合は（Ｓ１１０：ｙｅｓ）、今度は、スタートレバー３６が操作されたか否かを判断する（Ｓ１１２）。前述したように遊技者がスタートレバー３６を操作すると、その操作信号が主制御基板２００に供給されるので、主制御基板２００は、スタートレバー３６の操作信号に基づいて、スタートレバー３６が操作されたか否かを判断することができる。その結果、スタートレバー３６が操作されていない場合は（Ｓ１１２：ｎｏ）、精算ボタン４０の操作の有無を確認しながら（Ｓ１０６）、スタートレバー３６が操作されるまで待機する。
【００５１】
一方、スタートレバー３６が操作されたら（Ｓ１１２：ｙｅｓ）、すなわち、主制御基板２００のＣＰＵ２０１がスタートレバー３６の操作信号を受信すると、後述の内部抽選処理（Ｓ１１６）で利用する内部抽選用乱数を取得する（Ｓ１１３）。本実施例の遊技機１では、内部抽選用乱数は２バイトデータとなっており、０〜６５５３５の範囲の乱数値を取ることが可能である。この抽選用の乱数は、主制御基板２００に搭載された専用の乱数発生回路を用いてハードウェア的に生成することもできるし、乱数発生用のプログラムを用いてソフトウェア的に生成することも可能である。内部抽選用乱数を取得したら（Ｓ１１３）、内部抽選用乱数伝達コマンドをサブ制御基板２２０に向けて送信する（Ｓ１１４）。内部抽選用乱数伝達コマンドには今回取得した内部抽選用乱数の値が含まれており、サブ制御基板２２０のＣＰＵ２２１は、内部抽選用乱数伝達コマンドを受信することによって、今回取得した内部抽選用乱数の値を把握する。
【００５２】
内部抽選用乱数伝達コマンドを送信したら（Ｓ１１４）、投入操作無効化処理を行う（Ｓ１１５）。投入操作無効化処理では、遊技メダルの投入操作を無効にする処理を行う。遊技メダルの投入操作が無効になっている状態では、遊技メダル投入口３０から入れられた遊技メダルは、投入された遊技メダルとして検出されないままコインシュータ１０８を通って、遊技メダル排出口５０に返却される。加えて、遊技メダルの投入操作が無効になっている状態では、投入ボタン３４が押されても遊技メダルは投入されない。すなわち、スタートレバー３６が操作された後は、何れの操作を行っても遊技メダルを投入することはできないように構成されている。こうして、遊技メダルの投入操作を無効にする処理が終了したら（Ｓ１１５）、内部抽選処理を開始する（Ｓ１１６）。
【００５３】
内部抽選処理では、図６を用いて前述した遊技役の何れかの入賞成立を許容するか否かを、Ｓ１１３の処理で取得した内部抽選用乱数に基づいて決定する処理を行う。尚、この内部抽選処理で何れかの遊技役の入賞成立が許容された（何れかの遊技役に内部当選した）としても、直ちに遊技役の入賞が成立するわけではなく、回胴停止ボタン３８ａ，３８ｂ，３８ｃを操作することにより、当選した遊技役に対応する図柄組合せを有効な入賞ラインに揃えなければ遊技役の入賞を成立させることはできない。
【００５４】
また、内部抽選処理で入賞成立が許容された遊技役でなければ、どのようなタイミングで回胴停止ボタン３８ａ，３８ｂ，３８ｃを操作したとしても、有効な入賞ラインに対応する図柄組合せを揃えることはできないようになっている。その意味で、この内部抽選処理は、図柄組合せを揃えて遊技役の入賞を成立させるための前提条件として、内部的に行われる抽選であることから「内部抽選」と呼ばれている。また、内部抽選に当選していずれかの遊技役の入賞成立が許容された状態は、内部当選状態（あるいは単に、内部当選）と呼ばれている。なお、この内部抽選処理は、抽選テーブルと呼ばれる「遊技役と内部抽選用乱数との対応関係が設定される専用のテーブルデータ」を用いて何れの遊技役を内部当選させるかを決定している。
【００５５】
図９は、通常状態中（ボーナス遊技中（ＢＢ状態中あるいは後述のＲＴ状態中）以外）に用いられる抽選テーブル（通常状態用抽選テーブル）を概念的に示した説明図である。図９（ａ）には、各遊技役に対して割り当てられた内部抽選用乱数の範囲がまとめて示されている。また、図９（ｂ）には、各遊技役に割り当てられた乱数範囲の大まかな比率が示されている。図示されるように、通常状態用抽選テーブルでは、「ベル役」に対しては０〜３６３９の乱数値が設定されている。これは、取得した乱数値がこの範囲にあった場合には、ベル役に内部当選することを表している。また、「スイカ役」には３６４０〜５５３９の乱数値が設定されており、「チェリー役」には５６４０〜７６３９の乱数値が設定されている。また、「赤セブンのボーナス役」には７６４０〜８１３９の乱数値が設定され、「青セブンのボーナス役」には８１４０〜８６３９の乱数値が設定され、「再遊技役」には８６４０〜１７６３９の乱数値が設定されている。尚、１７６４０〜６５５３５の乱数値には、何れの遊技役も設定されておらず、従って、取得した乱数値がこの範囲にあった場合は「ハズレ」となる。
【００５６】
内部抽選処理では、以上のようにして、スタートレバー３６が操作を検出したときに取得した内部抽選用乱数に基づいて、抽選テーブルを参照することにより、何れの遊技役に内部当選したか、若しくは何れの遊技役にも内部当選しなかったかを判断する。そして、何れかの遊技役に内部当選したら、当選した遊技役の内部当選フラグをＯＮに設定する。ここで内部当選フラグとは、内部抽選の結果を記憶しておくために用いられるフラグであり、主制御基板２００に搭載されたＲＡＭ２０３の所定アドレスに設定されている。
【００５７】
図１０は、本実施例の遊技機１における内部当選フラグの構成を例示した説明図である。図示されているように、本実施例の遊技機１では、ボーナス役以外の遊技役についての内部当選フラグと、赤セブンのボーナス役、青セブンのボーナス役についての内部当選フラグ（ボーナス役内部当選フラグ）とに分けて記憶されており、それぞれに対して記憶領域が確保されている。図１０（ａ）は、ボーナス役以外の遊技役の内部当選フラグが設定される領域のデータ構造を例示した説明図である。図示されているように、ボーナス役以外の遊技役の内部当選フラグには１バイト分の領域が確保されている。これら１バイト（８ビット）分の領域がこれらのフラグとして利用されている。これら８ビットのうち、先頭のビットは、ベル役に内部当選したことを記憶しておくためのビットであり、次のビットはスイカ役に内部当選したことを記憶しておくためのビットである。以下の６つのビットも同様に、それぞれ、チェリー役、再遊技役、特殊再遊技役Ａ、特殊再遊技役Ｂ、特殊再遊技役Ｃ、増加役に内部当選したことを記憶しておくために用いられるビットである。
【００５８】
また、図１０（ｂ）は、ボーナス役内部当選フラグが設定される１バイト分の領域のデータ構造を例示した説明図である。図示されているように、１バイトデータのうち下位側の２ビット分がボーナス役内部当選フラグとして用いられている。これら２ビット中の上位側のビットは、赤セブンのボーナス役に内部当選したことを記憶しておくためのビットであり、下位側のビットは青セブンのボーナス役に内部当選したことを記憶しておくためのビットである。図７に示した内部抽選処理（Ｓ１１６）では、Ｓ１１３の処理で取得した内部抽選用乱数に基づいて、抽選テーブルを参照しながら、何れかの遊技役に内部当選しているか否かを判断し、何れかの遊技役に内部当選していれば、図１０に示した内部当選フラグの対応するビットに「１」を設定する（内部当選フラグをＯＮに設定する）処理を行う。
【００５９】
内部抽選処理（Ｓ１１６）を終了すると、主制御基板２００のＣＰＵ２０１は、サブ制御基板２２０に対して内部抽選結果伝達コマンドを送信する（Ｓ１１８）。内部抽選結果伝達コマンドには、先の内部抽選処理（Ｓ１１６）で行われた内部抽選の結果を示す情報（遊技役に当選したか否かの情報、当選している場合はその遊技役の情報が含まれる）が含まれている。
【００６０】
内部抽選結果伝達コマンドをサブ制御基板２２０に向けて送信すると（Ｓ１１８）、主制御基板２００のＣＰＵ２０１は、続いて回胴回転始動処理を開始する（図８のＳ１２８）。回胴回転始動処理では、所定の条件が満足されているか否かを判断して、条件が満たされている場合は、３つの回胴２０ａ，２０ｂ，２０ｃを回転させる処理を行う。本実施例の回胴回転始動処理では、スタートレバー３６が操作され、且つ、前回に回胴２０ａ，２０ｂ，２０ｃの回転が開始されてから所定時間（例えば、４．１秒）を経過した場合に回胴の回転を開始することとして、各回胴２０ａ，２０ｂ，２０ｃにそれぞれ設けられた回胴モータ２４ａ，２４ｂ，２４ｃに対して駆動信号を出力することにより、３つの回胴２０ａ，２０ｂ，２０ｃを回転させる。
【００６１】
こうして３つの回胴２０ａ，２０ｂ，２０ｃを回転させたら、主制御基板２００は、回胴の回転を停止させる処理（回胴回転停止処理）を行う（Ｓ１３０）。回胴回転停止処理の詳細については後述するが、この処理では、先に行われた内部抽選の結果（何れの遊技役に内部当選したか否か）や、遊技者によって回胴停止ボタン３８ａ，３８ｂ，３８ｃが操作されたタイミングに基づいて、３つの回胴２０ａ，２０ｂ，２０ｃのそれぞれの停止位置を決定し、決定した位置で停止させる処理を行う。
【００６２】
主制御基板２００のＣＰＵ２０１は、３つの回胴２０ａ，２０ｂ，２０ｃを停止させると、以下のように、その停止位置に基づいて各遊技役の入賞が成立したか否かを判断して、遊技役の入賞が成立した場合には該遊技役に対応する処理を行う。ここで、「遊技役の入賞が成立する」とは、遊技役に対応する図柄組合せが、入賞ライン上に揃って停止表示されることをいう。前述したように、本実施例の遊技機１では、内部抽選処理（Ｓ１１６）で何れかの遊技役に内部当選していても、回胴停止ボタン３８ａ，３８ｂ，３８ｃを押すタイミングによっては、その遊技役に対応する図柄組合せが入賞ライン上に揃うとは限らない。そこで、主制御基板２００は、回胴の回転を停止させた後、各遊技役の入賞が成立しているか否かを判断する処理を行う。
【００６３】
先ず、ボーナス役の入賞が成立したか否かを判断する（Ｓ１３６）。図６を用いて前述したように、ボーナス役は、入賞ライン上に「赤セブン」あるいは「青セブン」の図柄が揃った場合に入賞が成立する遊技役である。尚、本実施例の遊技機１では、前述した内部抽選処理（Ｓ１１６）で何れかのボーナス役（赤セブンのボーナス役または青セブンのボーナス役）に当選した場合において、入賞ライン上に対応する図柄組合せが停止表示されず、何れのボーナス役の入賞も成立しなかったときに限り、ボーナス役の内部当選が持ち越され、次回の遊技以降も、そのボーナス役に対応する内部当選フラグがＯＮに設定されている状態で遊技が行われる。これに対して、ボーナス役以外の遊技役に内部当選した場合は、その遊技で当選した遊技役に対応する図柄組合せが入賞ライン上に停止表示されたか否かに拘わらず、その内部当選は次遊技以降に持ち越されることなくリセットされてしまう。
【００６４】
ボーナス役の入賞が成立した場合は（Ｓ１３６：ｙｅｓ）、ボーナス役の内部当選フラグをＯＦＦに設定した後（Ｓ１３８）、ＢＢ状態フラグをＯＮに設定するとともに、チャンスＲＴ状態フラグおよび特殊ＲＴ状態フラグをＯＦＦに設定する（Ｓ１４０）。ここで、ＢＢ状態フラグとは、遊技状態を、前述したビッグボーナス状態（ＢＢ状態）と呼ばれる遊技者にとって有利な遊技状態とすることを示すフラグである。また、チャンスＲＴ状態フラグおよび特殊ＲＴ状態フラグは、遊技状態を、チャンスＲＴ状態および特殊ＲＴ状態とすることを示すフラグである。これらのフラグは、現在の遊技状態を表すための「遊技状態フラグ」と呼ばれる専用のフラグの一種である。詳しくは後述するが、本実施例の遊技機１では、ＢＢ状態やチャンスＲＴ状態、特殊ＲＴ状態といった通常とは異なる遊技状態のそれぞれに対応する遊技状態フラグが設けられており、これら遊技状態フラグの設定（ＯＮ／ＯＦＦ）に応じて遊技状態を切り換えながら遊技が進行していく。こうした遊技状態フラグは主制御基板２００に搭載されたＲＡＭ２０３の所定アドレスに設定されている。
【００６５】
図１１は、遊技状態フラグ等が設定される１バイト分の領域のデータ構造を例示した説明図である。本実施例の遊技機１では、ＲＡＭ２０３上の所定アドレスの１バイトデータのうち、３ビット分が遊技状態フラグとして用いられている。これら３ビットの先頭のビットがＢＢ状態中であることを示すＢＢ状態フラグに設定されており、その次のビットがチャンスＲＴ状態中であることを示すチャンスＲＴ状態フラグに設定されており、その次のビットが特殊ＲＴ状態中であることを示す特殊ＲＴ状態フラグに設定されている。
【００６６】
Ｓ１３８では、ＢＢ状態に対応するビットに「１」を設定する。また、Ｓ１４０では、チャンスＲＴ状態フラグや特殊ＲＴ状態フラグがＯＮに設定されていればＯＦＦに設定する。すなわち、ボーナス役が入賞成立すると、チャンスＲＴ状態中や特殊ＲＴ状態中であってもこれらの遊技状態を終了する。
【００６７】
Ｓ１４０の処理が終了すると、主制御基板２００のＣＰＵ２０１は、サブ制御基板２２０に向けてＢＢ状態開始コマンドを送信する（Ｓ１４２）。サブ制御基板２２０のＣＰＵ２２１はＢＢ状態開始コマンドを受信することによって、ＢＢ状態が開始されることを把握する。
【００６８】
一方、ボーナス役の入賞が成立していない場合は（Ｓ１３６：ｎｏ）、ベル役の入賞が成立したか否かを判断する（Ｓ１４６）。そして、ベル役の入賞が成立した場合は（Ｓ１４６：ｙｅｓ）、ベル役に応じた枚数（１５枚）の遊技メダルを払い出す処理を行う（Ｓ１４８）。遊技役に応じた枚数の遊技メダルを払い出す処理は、主制御基板２００の内部で払い出すべき遊技メダルの枚数を求めた後、主制御基板２００からメダル払出装置１１８に対して制御信号を出力することによって行われる。
【００６９】
Ｓ１４６の処理で、ベル役の入賞が成立していないと判断された場合は（Ｓ１４６：ｎｏ）、増加役の入賞が成立したか否かを判断する（Ｓ１５０）。そして、増加役の入賞が成立した場合は（Ｓ１５０：ｙｅｓ）、増加役に応じた枚数（１５枚）の遊技メダルを払い出す処理を行う（Ｓ１５２）。こうして遊技メダルを払い出したら、払出枚数計数処理を行う（Ｓ１５４）。前述したように、本実施例のＢＢ状態は、上限枚数（例えば、ＢＢ状態は４００枚）の遊技メダルが払い出されると終了するように設定されている。また、ＢＢ状態中は増加役のみが入賞成立可能である。そこで、増加役の入賞が成立した場合は、ＢＢ状態の開始後に払い出された遊技メダルの枚数（払出枚数）を計数する処理（払出枚数計数処理）を行う。この処理では、現在の遊技状態がＢＢ状態であるか否かを判断して、ＢＢ状態中であると判断された場合には、Ｓ１５２の処理で払い出した遊技メダルの枚数を、既に払い出した枚数（払出枚数）に加算する処理を行う。一方、ＢＢ状態中ではないと判断された場合には、払出枚数の加算処理を行うことなく、そのまま払出枚数計数処理を終了する。
【００７０】
Ｓ１５０の処理で、増加役の入賞が成立していないと判断された場合は（Ｓ１５０：ｎｏ）、今度は、再遊技役の入賞が成立したか否かを判断する（Ｓ１５６）。そして、再遊技役の入賞が成立していた場合は（Ｓ１５６：ｙｅｓ）、再遊技フラグをＯＮに設定する（Ｓ１５８）。ここで、再遊技フラグとは、再遊技役の入賞が成立したことを記憶しておくためのフラグである。この再遊技フラグがＯＮにセットされていると、次回の投入操作受付処理（図７のＳ１０８）において、遊技者によって投入されなくても自動的に遊技メダルが再投入されて（投入完了フラグがＯＮに設定されて）、新たに遊技メダルを投入することなく遊技を行うことが可能になる（再遊技が可能になる）。また、遊技メダルを自動的に再投入した遊技が終了した後は、再遊技フラグはＯＦＦに戻される。このような再遊技フラグも、前述した遊技状態フラグと同様に、主制御基板２００に搭載されたＲＡＭ２０３の所定アドレスに設定されている。本実施例の遊技機１では、図１１に示すように、遊技状態フラグが設定されているビットの下位側のビットが再遊技フラグに設定されている。
【００７１】
Ｓ１５６の処理で、再遊技役の入賞が成立していないと判断された場合は（Ｓ１５６：ｎｏ）、今度は、特殊再遊技役の入賞が成立したか否かを判断する（Ｓ１６０）。そして、特殊再遊技役の入賞が成立していた場合は（Ｓ１６０：ｙｅｓ）、再遊技を可能にすべく再遊技フラグをＯＮに設定した後（Ｓ１６２）、特殊再遊技役対応処理を行う。詳しくは後述するが、特殊再遊技役対応処理では、特殊再遊技役の入賞態様に対応した処理が行われる（Ｓ１６４）。
【００７２】
こうして、各遊技役の入賞が成立した場合の処理を行ったら、あるいは、何れの遊技役の入賞も成立していなかったら（Ｓ１６０：ｎｏ）、遊技終了コマンドをサブ制御基板２２０に向けて送信する（Ｓ１６８）。遊技終了コマンドは、１回の遊技が終了するたびに（回胴２０ａ，２０ｂ，２０ｃが回転した後、停止するたびに）、送信されるコマンドであり、サブ制御基板２２０のＣＰＵ２２１は、遊技終了コマンドを受信することによって、１回の遊技が終了したことを把握する。また、遊技終了コマンドには、「今回の遊技で何れかの遊技役が入賞成立したか否か、入賞成立したのであればその遊技役の種類（入賞結果）」を示す情報が含まれている。従って、サブ制御基板２２０のＣＰＵ２２１は、遊技終了コマンドを受信することによって、１回の遊技が終了したことだけでなく、該遊技における「入賞結果」も把握する。こうして遊技終了コマンドを送信したら（Ｓ１６８）、遊技制御処理の先頭に戻って、図７および図８に示した遊技状態設定処理（図７のＳ１００）以降の上述の処理を行う。
【００７３】
Ｃ−２．遊技状態設定処理  ：
図１２および図１３は、本実施例の遊技状態設定処理を示すフローチャートである。遊技状態設定処理は、遊技制御処理の最初に行われる処理である（図７のＳ１００）。遊技状態設定処理を開始すると、先ず初めに主制御基板２００のＣＰＵ２０１は、図１１に示した遊技状態フラグを参照して、ＢＢ状態フラグがＯＮに設定されているか否かを判断する（Ｓ１７０）。前述したように、ＢＢ状態フラグは、遊技状態をＢＢ状態とすることを示す遊技状態フラグである。その結果、ＢＢ状態フラグがＯＮに設定されていると判断された場合は（Ｓ１７０：ｙｅｓ）、ＢＢ状態の終了条件が満たされているか否かを判断する（Ｓ１７２）。本実施例では、ＢＢ状態の終了条件として、ＢＢ状態の開始後に払い出した遊技メダルの枚数が設定されており、払い出した遊技メダルの枚数が第１の所定枚数（例えば、４００枚）に達するとＢＢ状態が終了するように設定されている。図７および図８を用いて前述した遊技制御処理では、ＢＢ状態中に払い出した遊技メダルの枚数を計数しており（図８のＳ１５４）、この枚数が第１の所定枚数に達すると、そのことを検出することができる。そして、この遊技メダルの枚数が第１の所定枚数に達したことを未だ検出していなければ、ＢＢ状態の終了条件が満たされていないと判断して（Ｓ１７２：ｎｏ）、ＢＢ状態を継続するべく、ＢＢ状態用抽選テーブルを選択する（Ｓ１７４）。以下、ＢＢ状態用抽選テーブルについて説明する。
【００７４】
図１４は、ＢＢ状態中に用いられるＢＢ状態用抽選テーブルを概念的に示した説明図である。図１４（ａ）には、遊技役に対して割り当てられた乱数の範囲が示されており、図１４（ｂ）には、遊技役に割り当てられた乱数範囲の大まかな比率が示されている。図１４に示したＢＢ状態用抽選テーブルには、図９を用いて前述した通常状態用抽選テーブルに設定されていた「ベル役」、「スイカ役」、「チェリー役」、「再遊技役」、「ボーナス役」の遊技役が設定されておらず、「増加役」が設定されている。「増加役」には全体の半分以上の乱数値が設定されている。図６を用いて前述したように、「増加役」の入賞が成立すると、１５枚の遊技メダルが払い出されることから、ＢＢ状態中は高い確率で増加役の入賞が成立し、入賞成立のたびに１５枚の遊技メダルが払い出されることになる。
【００７５】
上述のＢＢ状態用抽選テーブルを利用したＢＢ状態の進行に伴い、増加役が繰り返し入賞して第１の所定枚数の遊技メダルを払い出した場合は、図１２のＳ１７２で、ＢＢ状態の終了条件が成立したと判断して（Ｓ１７２：ｙｅｓ）、ＢＢ状態を終了すべくＢＢ状態フラグをＯＦＦに設定する（Ｓ１７６）。続いて、チャンスＲＴ状態フラグをＯＮに設定するとともに（Ｓ１７８）、チャンスＲＴカウンタの値に「３０」を設定する（Ｓ１８０）。前述したように、チャンスＲＴ状態フラグはチャンスＲＴ状態であることを示すフラグである。また、チャンスＲＴカウンタは、チャンスＲＴ状態の継続期間を示すカウンタである。Ｓ１８０の処理では、チャンスＲＴ状態を３０回の遊技が実行されるまで継続すべく、チャンスＲＴカウンタの値に「３０」を設定する。このようにチャンスＲＴ状態は、ＢＢ状態終了後から３０回の遊技が実行されるまで継続する。尚、チャンスＲＴカウンタは、主制御基板２００のＲＡＭ２０３の所定アドレスにその記憶領域が確保されている。
【００７６】
続いて、主制御基板２００のＣＰＵ２０１は、サブ制御基板２２０に向けてチャンスＲＴ開始コマンドを送信する（Ｓ１８２）。サブ制御基板２２０のＣＰＵ２２１は、チャンスＲＴ開始コマンドを受信することによって、ＢＢ状態が終了してチャンスＲＴ状態が開始することを把握する。
【００７７】
こうしてチャンスＲＴ状態を開始したら（Ｓ１７８、Ｓ１８０、Ｓ１８２）、または、既にチャンスＲＴ状態である場合は（Ｓ１７０：ｎｏ、Ｓ１８４：ｙｅｓ）、チャンスＲＴカウンタの値が「０」か否かを判断する（図１３のＳ１８９）。すなわち、前回の遊技でチャンスＲＴ状態の継続期間が満了したか否かが判断される。その結果、未だチャンスＲＴ状態の継続期間が満了していない場合は（Ｓ１８９：ｎｏ）、今回の遊技が実行されることによってチャンスＲＴ状態での遊技が１回行われることから、チャンスＲＴ状態の継続期間の残りを１回減らすべく、チャンスＲＴカウンタの値から「１」を減算する（Ｓ１９０）。そして、チャンスＲＴ状態での遊技を行うべく、チャンスＲＴ状態用抽選テーブルを選択した後（Ｓ１９１）、図７および図８に示した遊技制御処理に復帰する。尚、チャンスＲＴカウンタは、主制御基板２００のＲＡＭ２０３の所定アドレスにその記憶領域が確保されている。
【００７８】
図１５は、チャンスＲＴ状態中に用いられるチャンスＲＴ状態用抽選テーブルを概念的に示した説明図である。図１５（ａ）には、各遊技役に対して割り当てられた乱数の範囲が示されており、図１５（ｂ）には、各遊技役に割り当てられた乱数範囲の大まかな比率が示されている。図９を用いて前述した通常状態用抽選テーブルと比較すると明らかなように、図１５に示したチャンスＲＴ状態用抽選テーブルでは、全体の半分以上である８６４０〜５９９９９の乱数値に「再遊技役」が設定されている。従って、チャンスＲＴ状態中は通常状態中よりも高い確率で再遊技役の入賞が成立するので、遊技メダルの使用量（消費量）を通常状態中よりも抑制しながらボーナス役の入賞成立を狙うことが可能となる。また、「再遊技役」に設定されている乱数値のうち８６４０〜１２６３９の乱数値に「特殊再遊技役Ａ」、「特殊再遊技役Ｂ」、「特殊再遊技役Ｃ」が重複して設定されている。これは内部抽選処理で取得した乱数値がこの範囲にあった場合は、「再遊技役」に加えて「特殊再遊技役Ａ」、「特殊再遊技役Ｂ」、「特殊再遊技役Ｃ」に重複して内部当選（以下、重複当選ともいう）することを表している。「再遊技役」、「特殊再遊技役Ａ」、「特殊再遊技役Ｂ」、「特殊再遊技役Ｃ」に重複当選した場合は、これらの遊技役に対応する内部当選フラグを全てＯＮに設定する。
【００７９】
図１３のＳ１８９の処理で、前回の遊技でチャンスＲＴ状態の継続期間が満了したと判断された場合は（Ｓ１８９：ｙｅｓ）、チャンスＲＴ状態を終了すべくチャンスＲＴ状態フラグをＯＦＦに設定する（Ｓ１９２）。そして、通常状態での遊技を行うべく、通常状態用抽選テーブルを選択した後（Ｓ１９３）、遊技状態設定処理を終了して、図７および図８に示した遊技制御処理に復帰する。
【００８０】
以上は、チャンスＲＴ状態を開始した場合の処理（図１２のＳ１７２：ｙｅｓ）およびチャンスＲＴ状態中である場合の処理（Ｓ１８４：ｙｅｓ）について説明した。これに対して、Ｓ１８４の処理でチャンスＲＴ状態でないと判断した場合は（Ｓ１８４：ｎｏ）、特殊ＲＴ状態フラグがＯＮに設定されているか否かを判断する（Ｓ１８６）。前述したように、特殊ＲＴ状態フラグは、遊技状態が特殊ＲＴ状態であることを示す遊技状態フラグであり、Ｓ１８６の処理では、特殊ＲＴ状態中か否かが判断される。その結果、特殊ＲＴ状態中でないと判断された場合は（Ｓ１８６：ｎｏ）、既にＢＢ状態中でもチャンスＲＴ状態中でもないと判断されていることから（Ｓ１７０：ｎｏ、Ｓ１８４：ｎｏ）、現在の遊技状態は通常状態中であるので、図９に示した通常状態用抽選テーブルを選択する（Ｓ１８８）。
【００８１】
一方、特殊ＲＴ状態中であると判断された場合は（Ｓ１８６：ｙｅｓ）、特殊ＲＴカウンタの値が「０」か否かを判断する（図１３のＳ１９４）。詳しくは後述するが、本実施例の遊技機１の特殊ＲＴ状態は、開始してから所定回数の遊技が実行されたら終了する。特殊ＲＴカウンタは、特殊ＲＴ状態が終了するまでの残りの遊技回数（継続期間）を示すカウンタである。従って、Ｓ１９４の処理では、前回の遊技で特殊ＲＴ状態の継続期間が満了したか否かが判断される。その結果、未だ特殊ＲＴ状態の継続期間が満了していない場合は（Ｓ１９４：ｎｏ）、今回の遊技が実行されることによって特殊ＲＴ状態での遊技が１回行われることから、特殊ＲＴ状態の継続期間の残りを１回減らすべく、特殊ＲＴカウンタの値から「１」を減算する（Ｓ１９５）。そして、特殊ＲＴ状態での遊技を行うべく、特殊ＲＴ状態用抽選テーブルを選択した後（Ｓ１９６）、遊技状態設定処理を終了して、図７および図８に示した遊技制御処理に復帰する。尚、特殊ＲＴカウンタは、主制御基板２００のＲＡＭ２０３の所定アドレスにその記憶領域が確保されている。
【００８２】
図１６は、特殊ＲＴ状態中に用いられる特殊ＲＴ状態用抽選テーブルを概念的に示した説明図である。図１６（ａ）には、各遊技役に対して割り当てられた乱数の範囲が示されており、図１６（ｂ）には、各遊技役に割り当てられた乱数範囲の大まかな比率が示されている。図１５を用いて前述したチャンスＲＴ状態用抽選テーブルと比較すると明らかなように、図１６に示したチャンスＲＴ状態用抽選テーブルでは、「特殊再遊技役Ａ」、「特殊再遊技役Ｂ」、「特殊再遊技役Ｃ」が設定されていない。従って、特殊ＲＴ状態中は、チャンスＲＴ状態中と同様に遊技メダルの使用量（消費量）を通常状態中よりも抑制しながらボーナス役の入賞成立を狙うことが可能となるものの、「特殊再遊技役Ａ」、「特殊再遊技役Ｂ」、「特殊再遊技役Ｃ」が入賞成立することはない。
【００８３】
図１３のＳ１９４の処理で、前回の遊技でＲＴ状態の継続期間が満了したと判断された場合は（Ｓ１９４：ｙｅｓ）、特殊ＲＴ状態を終了すべく特殊ＲＴ状態フラグをＯＦＦに設定する（Ｓ１９７）。そして、通常状態での遊技を行うべく、通常状態用抽選テーブルを選択した後（Ｓ１９８）、遊技状態設定処理を終了して、図７および図８に示した遊技制御処理に復帰する。
【００８４】
尚、図７に示した内部抽選処理では、スタートレバー３６の操作時に取得された内部抽選用乱数を、上述のように選択した抽選テーブルに参照して、内部抽選結果（何れの遊技役に内部当選したか、若しくは何れの遊技役にも内部当選しなかったか）が決定されることになる。その結果、通常状態用抽選テーブルが選択された場合は通常状態中の遊技が行われることとなり、ＢＢ状態用抽選テーブルが選択された場合はＢＢ状態中の遊技が行われることとなり、チャンスＲＴ状態用抽選テーブルが選択された場合はチャンスＲＴ状態中の遊技が行われることとなり、特殊ＲＴ状態用抽選テーブルが選択された場合は特殊ＲＴ状態中の遊技が行われることとなる。
【００８５】
また、ボーナス役に内部当選してからボーナス役の入賞が成立するまでは、内部当選する遊技役としてボーナス役が設定されていない抽選テーブル（図示略）が選択される。これにより、ボーナス役が内部当選している状態では、更に別のボーナス役が当選しないようになっている。
【００８６】
Ｃ−３．投入操作受付処理  ：
図１７は、本実施例の遊技機１で行われる投入操作受付処理の流れを示すフローチャートである。前述したように、投入操作受付処理は、主制御基板２００のＣＰＵ２０１によって、図７および図８に示した遊技制御処理の中で実行される（図７のＳ１０８）。
【００８７】
投入操作受付処理を開始すると、先ず初めに、再遊技フラグがＯＮに設定されている否かの判断を行う（Ｓ２００）。その結果、再遊技フラグがＯＮに設定されている場合は（Ｓ２００：ｙｅｓ）、投入完了フラグをＯＮに設定した後（Ｓ２０２）、投入操作受付処理を終了して、図７および図８に示した遊技制御処理に復帰する。すなわち、再遊技フラグがＯＮに設定されている場合は再遊技役が入賞成立した状態であることから、遊技メダルの投入操作が行われなくても遊技メダルの投入が完了した状態にする必要がある。そこで、投入操作受付処理の中のＳ２００の判断処理の結果が否定判断結果であった場合に行われる遊技メダルの投入に係る処理は行わないまま、投入完了フラグをＯＮに設定する。この状態で、図７および図８に示した遊技制御処理に復帰すると、投入完了フラグがＯＮであると判断され（Ｓ１１０：ｙｅｓ）、スタートレバー３６の操作待ちの状態になる。これにより、再遊技役が入賞成立した場合は、遊技メダルの投入操作を行わなくても、遊技を進行させることができる状態となる。投入完了フラグをＯＮに設定したら（Ｓ２０２）、遊技メダルの投入が完了したことを示す投入完了コマンドをサブ制御基板２２０に向けて送信する（Ｓ２０３）。サブ制御基板２２０のＣＰＵ２２１は、投入完了コマンドを受信することによって、遊技メダルの投入が完了したことを把握する。
【００８８】
Ｓ２００の判断処理で、再遊技フラグがＯＦＦであると判断した場合、すなわち、前回の遊技で再遊技役が入賞成立しなかったと判断した場合は（Ｓ２００：ｎｏ）、遊技メダル投入口３６から遊技メダルが入れられたか否か（遊技メダルを検出したか否か）の判断を行う（Ｓ２０４）。その結果、遊技メダルを検出した場合は（Ｓ２０４：ｙｅｓ）、投入完了フラグがＯＮに設定されているか否か、すなわち、既に規定数（本実施例では３枚）の遊技メダルが投入されている（以下、「遊技メダルの投入が完了している」ともいう）か否かの判断を行う（Ｓ２０６）。未だ遊技メダルの投入が完了していない場合は（Ｓ２０６：ｎｏ）、投入カウンタの値に「１」を加算する。投入カウンタは、投入された遊技メダルの枚数を計数するためのカウンタであって、主制御基板２００に搭載されているＲＡＭ２０３の所定アドレスにその記憶領域が確保されている。投入カウンタの値に「１」を加算すると（Ｓ２０８）、その結果、投入カウンタの値が「３」になったか否か、すなわち、規定数（３枚）の遊技メダルが投入されたか否かを判断する（Ｓ２１０）。規定数（３枚）の遊技メダルが投入された場合は、すなわち遊技メダルの投入が完了した場合は（Ｓ２１０：ｙｅｓ）、次回の投入枚数の計数に備えて投入カウンタの値を「０」に戻した後（Ｓ２１２）、スタートレバー３６の操作を可能にするべく投入完了フラグをＯＮに設定する（Ｓ２１４）。投入完了フラグをＯＮに設定したら（Ｓ２１４）、遊技メダルの投入が完了したことを示す投入完了コマンドをサブ制御基板２２０に向けて送信する（Ｓ２１５）。
【００８９】
一方、投入カウンタに「１」を加算したものの投入カウンタの値が「３」に到達していない場合、すなわち、今回遊技メダル投入口３６から入れられた遊技メダルを合わせても規定数に到達していない場合は（Ｓ２１０：ｎｏ）、投入完了フラグをＯＮに設定することなく、そのまま投入操作受付処理を終了して、図７および図８に示す遊技制御処理に復帰する。
【００９０】
遊技メダルを検出した場合において（Ｓ２０４）、遊技メダルの投入が既に完了している場合は（Ｓ２０６：ｙｅｓ）、今度は、貯留カウンタの値に「１」を加算する（Ｓ２２２）。貯留カウンタは、遊技メダルの投入が完了している状態で遊技メダル投入口３０から入れられた遊技メダルの枚数を計数するためのカウンタである。換言すると、貯留カウンタは、遊技メダルの投入が完了している状態で遊技メダル投入口３０から入れられた遊技メダルをクレジットとして貯留するためのカウンタである。詳しくは後述するが、貯留カウンタに貯留された遊技メダルは、投入ボタン３４が操作されることによって投入カウンタに移行させられる（投入される）。尚、貯留カウンタは、主制御基板２００のＲＡＭ２０３の所定アドレスにその記憶領域が確保されている。貯留カウンタの値に「１」を加算したら、投入操作受付処理を終了して、図７および図８に示す遊技制御処理に復帰する。
【００９１】
以上は、遊技メダル投入口３０から入れられた遊技メダルを検出した場合（Ｓ２０４：ｙｅｓ）の処理について説明した。これに対して、該遊技メダルを検出しなかった場合は（Ｓ２０４：ｎｏ）、先ず、投入完了フラグがＯＮに設定されているか、すなわち、遊技メダルの投入が完了しているか否かを判断する（Ｓ２１６）。その結果、遊技メダルの投入が既に完了している場合は（Ｓ２１６：ｙｅｓ）、そのまま投入操作受付処理を終了して、図７および図８に示す遊技制御処理に復帰する。これに対して、遊技メダルの投入が完了していない場合は（Ｓ２１６：ｎｏ）、今度は、投入ボタン３４の操作を検出したか否かを判断する（Ｓ２１８）。その結果、投入ボタン３４の操作を検出した場合は（Ｓ２１８：ｙｅｓ）、貯留カウンタおよび投入カウンタの値を更新する（Ｓ２２０）。本実施例の遊技機１では、遊技メダルの投入が完了しておらず且つ貯留カウンタに遊技メダルが貯留されている状態で、投入ボタン３４が操作されると、貯留カウンタに貯留されている遊技メダルは、遊技メダルの投入枚数が規定数になるまで投入される。すなわち、Ｓ２２０の処理では、投入カウンタの値が「３」に到達していないので（Ｓ２１６：ｎｏ）、貯留カウンタの値が「０」ではなければ、投入カウンタの値が「３」に到達するまで加算される。
【００９２】
その結果、投入カウンタの値が「３」に到達した場合、すなわち、遊技メダルの投入が完了した場合は（Ｓ２１０：ｙｅｓ）、次回の投入枚数の計数に備えて投入カウンタの値を「０」に戻した後（Ｓ２１２）、スタートレバー３６の操作を可能にするべく投入完了フラグをＯＮに設定する（Ｓ２１４）。そして、投入完了コマンドをサブ制御基板２２０に向けて送信して（Ｓ２１５）、図７および図８に示す遊技制御処理に復帰する。
【００９３】
ここで、Ｓ２２０の処理では、投入カウンタの値に加算された数だけ、貯留カウンタの値から減算される。従って、投入カウンタの値が「３」に到達する前に貯留カウンタの値が「０」になった場合、例えば、投入カウンタの値が「０」、貯留カウンタの値が「２」であって、投入カウンタの値に「２」を加算することにともなって、貯留カウンタの値から「２」を減算した結果、投入カウンタの値が「２」、貯留カウンタの値が「０」になった場合は、投入カウンタの値が「３」に到達していないので（Ｓ２１０：ｎｏ）、投入完了フラグをＯＮに設定することなく、投入操作受付処理を終了して、図７および図８に示す遊技制御処理に復帰する。
【００９４】
以上のように、本実施例の遊技機１では、遊技メダル投入口３０から遊技メダルが入れられること、あるいは投入ボタン３４が操作されることによって、遊技メダルが投入され、遊技メダルの投入が完了すると、サブ制御基板２２０に向けて投入完了コマンドが送信される。
【００９５】
Ｃ−４．回胴回転停止処理  ：
図１８は、本実施例の遊技機１で行われる回胴回転停止処理の流れを示すフローチャートである。前述したように、回胴回転停止処理は、主制御基板２００のＣＰＵ２０１によって、図７および図８に示した遊技制御処理の中で実行される（図８のＳ１３０）。
【００９６】
回胴回転停止処理を開始すると、先ず初めに、この処理に先立って行われた内部抽選（図７のＳ１１６）の結果に応じて第１停止テーブルを抽出する処理を行う（Ｓ２５０）。ここで、停止テーブルとは、回胴２０ａ，２０ｂ，２０ｃを停止する際に参照する専用のテーブルである。詳しくは後述するが、遊技者が回胴停止ボタン３８ａ，３８ｂ，３８ｃを操作したときに、回胴の外周面に描かれた図柄のうち（図３参照）、何れの図柄を表示窓２０に表示して回胴２０ａ，２０ｂ，２０ｃを停止するかは、停止テーブルに予め設定されている。前述したように、内部抽選で所定の遊技役に内部当選している（内部当選フラグがＯＮに設定されている）場合は、適切なタイミングで回胴停止ボタン３８ａ，３８ｂ，３８ｃを操作すると、その遊技役に対応する図柄組合せが入賞ライン上に揃うように、各回胴２０ａ，２０ｂ，２０ｃを停止する必要がある。逆に、内部当選していない遊技役については、どのようなタイミングで回胴停止ボタン３８ａ，３８ｂ，３８ｃを操作したとしても、対応する図柄組合せが有効な入賞ライン上に揃わないように、各回胴２０ａ，２０ｂ，２０ｃを停止する必要がある。そのため、何れの遊技役に内部当選しているかに応じて、異なる停止テーブルが設けられている。
【００９７】
また、このような停止テーブルには、回胴２０ａ，２０ｂ，２０ｃの全てが回転しているときに参照する第１停止テーブルと、既に何れかが停止しているときに参照する第２停止テーブルとが設定されている。そこで、回胴回転停止処理を開始した直後のＳ２５０では、内部抽選の結果に応じて、先ず初めに第１停止テーブルを抽出する。例えば、「スイカ役」に内部当選したと判断された場合は、「スイカ役」当選時用に設定された第１停止テーブルを抽出する。もちろん、何れの遊技役にも当選していない場合には、ハズレ用に設定された第１停止テーブルを抽出する。
【００９８】
こうして第１停止テーブルを選択したら、回胴２０ａ，２０ｂ，２０ｃの回転速度が所定値に達したか否かを判断する（Ｓ２５２）。回胴２０ａ，２０ｂ，２０ｃが回転を開始した直後は、回転速度が上昇中で、未だ所定の回転速度に達していないと判断されるので（Ｓ２５２：ｎｏ）、回転速度が所定値に達するまで、判断を繰り返しながら待機状態となる。そして、回転速度が所定速度に達していると判断したら（Ｓ２５２：ｙｅｓ）、回胴停止ボタン３８ａ，３８ｂ，３８ｃの操作を有効化する（Ｓ２５４）。
【００９９】
続いて、有効となった回胴停止ボタン３８ａ，３８ｂ，３８ｃの何れかが操作されたか否かを判断する（Ｓ２５６）。前述したように、遊技者が回胴停止ボタン３８ａ，３８ｂ，３８ｃを操作すると、その操作信号が主制御基板２００に供給されるので、主制御基板２００はこの操作信号に基づいて、回胴停止ボタン３８ａ，３８ｂ，３８ｃが操作されたか否かを判断することができる。そして、何れの回胴停止ボタンも操作されていない場合は（Ｓ２５６：ｎｏ）、操作されるまで待機する。
【０１００】
一方、何れかの回胴停止ボタンが操作された場合は（Ｓ２５６：ｙｅｓ）、操作された回胴停止ボタンを無効化するとともに（Ｓ２５８）、回胴停止ボタンが操作された時に、そのボタンに対応する回胴が何れの回転位置にあったかを検出する（Ｓ２６０）。前述したように、回胴２０ａ，２０ｂ，２０ｃのそれぞれに対応して回胴センサ２６ａ，２６ｂ，２６ｃが設けられており（図４参照）、回胴２０ａ，２０ｂ，２０ｃの回転位置を検出可能である。また、本実施例の遊技機１では、回胴停止ボタンの操作時に、対応する回胴に描かれた複数の図柄（図３参照）の中の何番目の図柄が所定の「基準位置」に表示されていたかに基づいて、その回胴の回転位置を検出するようになっている。ここで、基準位置は、各回胴の回転位置を相対的に検出するために予め定められた特別な位置であり、本実施例の遊技機１では、何れの回胴も表示窓２０の中段の位置が基準位置に設定されている。
【０１０１】
このようにして、回胴停止ボタンが操作された回胴の回転位置を検出したら、その回胴を適切な位置で停止させるための処理（回胴停止制御処理）を開始する（Ｓ２６２）。この回胴停止制御処理の詳細な内容については後述する。
【０１０２】
回胴停止制御処理を行って、回胴停止ボタンが操作された回胴を停止させると、３つの回胴２０ａ，２０ｂ，２０ｃの全てを停止させたか否かを判断する（Ｓ２６４）。そして、未だ回胴停止ボタンが操作されずに回転中の回胴がある場合は（Ｓ２６４：ｎｏ）、Ｓ２５６の処理に戻って、有効な回胴停止ボタンが操作されるまで待機し、操作されたら続く上述した一連の処理を実行する。こうした処理を繰り返すうちに、全ての回胴を停止させたと判断されたら（Ｓ２６４：ｙｅｓ）、図１８の回胴回転停止処理を終了して、図７および図８に示した遊技制御処理に復帰する。
【０１０３】
次に、上述した回胴回転停止処理（図１８）の中で回胴停止ボタンが操作された場合に、対応する回胴を適切な位置で停止させるために行われる回胴停止制御処理（Ｓ２６２）の内容について説明する。
【０１０４】
図１９は、回胴回転停止処理の中で実行される回胴停止制御処理の流れを示したフローチャートである。回胴停止制御処理を開始すると、先ず初めに、停止させる回胴が第１回胴であるか否かを判断する（Ｓ２９０）。ここで、第１回胴とは、３つの回胴２０ａ，２０ｂ，２０ｃの中で最初に停止する回胴をいう。すなわち、３つの回胴停止ボタン３８ａ，３８ｂ，３８ｃは、どのような順序で操作してもよいことから、３つの回胴２０ａ，２０ｂ，２０ｃの停止する順序は種々の順序を取り得る。そこで、３つの回胴２０ａ，２０ｂ，２０ｃの中で最初に停止する回胴を「第１回胴」と呼び、２番目に停止する回胴を「第２回胴」、３番目に停止する回胴を「第３回胴」と呼んで区別する。そして、第１回胴を停止させると判断された場合は（Ｓ２９０：ｙｅｓ）、回胴回転停止処理の開始直後（図１８のＳ２５０）に抽出しておいた第１停止テーブルを参照しながら、先に検出した回胴停止ボタン操作時の第１回胴の回転位置（図１８のＳ２６０）に基づいて、第１回胴の停止位置を決定する（Ｓ３０２）。本実施例の遊技機１では、回胴の停止位置として、基準位置に停止表示させる図柄（停止図柄）を決定するようになっている。
【０１０５】
図２０は、本実施例の遊技機１に設定されている第１停止テーブルの１つを例示した説明図である。停止テーブルには、回胴停止ボタンが操作された時の回胴の回転位置と、回胴停止ボタンが操作されてからその回胴を停止するまでの時間（停止時間）との対応関係が設定されている。上述したように、本実施例では、回胴２０ａ，２０ｂ，２０ｃの回転位置を、基準位置に表示されていた図柄よって検出していることから、図２０では、回転位置として、回胴２０ａ，２０ｂ，２０ｃの外周面に描かれた図柄の番号（図３の図柄配列に付された番号に対応する）が設定されている。また、前述したように、回胴停止ボタンの操作が有効化された時点では、対応する回胴は一定の速度で回転しているので（図１８のＳ２５２：ｙｅｓ）、停止時間が決まれば、その間に回胴上に描かれた図柄にして何コマ分回転が進むかも決定される。そこで、図２０に示した例では、停止時間に代えて、回胴停止ボタンが操作されてから何コマ分回転を進めて（滑らせて）その回胴を停止するかを示す「滑りコマ数」が設定されている。従って、このような停止テーブルを参照すれば、回胴停止ボタンの操作時に基準位置に表示されていた図柄に対応する滑りコマ数を読み出して、停止図柄を決定することができる。
【０１０６】
一例として、左回胴２０ａを第１回胴として停止させる場合について説明する。遊技者が左側の回胴停止ボタン（左停止ボタン）３８ａを操作した時点で、図２１に示すように、表示窓２０の中段の位置（基準位置）に１０番の「赤セブン」の図柄が表示されていたとする。この場合に、図２０の第１停止テーブルを参照すると、１０番の「赤セブン」の図柄に対して滑りコマ数が「２」と設定されている。そのため、図柄２コマ分滑らせて１２番の「ベル」の図柄を、基準位置に表示させる停止図柄に決定する。図２１では、白抜きの矢印によって回胴の回転方向を示しており、破線の円で囲んだ図柄が停止図柄となることを表している。
【０１０７】
ここで、停止テーブルに設定される停止時間は、最大で１９０ｍｓｅｃとなっており、この１９０ｍｓｅｃの間に、回胴２０ａ，２０ｂ，２０ｃは図柄にして４コマ分回転する。換言すれば、回胴停止ボタンが操作されると、その時点で基準位置に表示されている図柄から最大で４コマ以内にある図柄（基準位置の図柄を含めて５つの図柄）の中から停止図柄を決定することになる。このことと対応して、停止テーブル（図２０）では、基準位置の図柄に応じて、滑りコマ数として０〜４の数値が設定されている。
【０１０８】
このように、回胴の停止位置は、停止テーブルに設定されている停止時間（滑りコマ数）によって決定される。従って、停止テーブルを予め適切に設定しておけば、内部当選した遊技役に対応する図柄組合せは、有効な入賞ライン上に比較的容易に揃うように、逆に、内部当選していない遊技役の図柄組合せは、有効な入賞ライン上に決して揃わないように、各回胴２０ａ，２０ｂ，２０ｃを停止することが可能となる。
【０１０９】
以上のようにして第１回胴の停止位置を決定したら、決定した位置で第１回胴を停止させる（Ｓ３０４）。その後、第１回胴に停止表示された図柄に応じて第２停止テーブルを抽出したら（Ｓ３０６）、図１９の回胴停止制御処理を一旦終了して、図１８に示した回胴回転停止処理に復帰する。ここで、第１停止テーブルと第２停止テーブルとの関係について補足して説明する。
【０１１０】
図２２は、第１停止テーブルと第２停止テーブルとの関係を示した説明図である。上述したように第１停止テーブルは、第１回胴を停止する際、すなわち、回胴２０ａ，２０ｂ，２０ｃの全てが回転しているときに参照するテーブルであり、３つの回胴の全てを対象に設定されている。これに対して、第２停止テーブルは、第２回胴および第３回胴を停止する際に参照するテーブルであり、既に停止している第１回胴が３つの回胴２０ａ，２０ｂ，２０ｃのうちの何れであるかに応じて、第１回胴を除く残り２つの回胴を対象に設定されている。また、前述したように、内部当選した遊技役の入賞を成立させるには、対応する図柄組合せが入賞ライン上に揃う必要があり、逆に、内部当選していない遊技役の図柄組合せは、入賞ラインの何れにも揃わないようにする必要がある。このことから、第２回胴あるいは第３回胴に何れの図柄を停止表示させるかは、既に停止した第１回胴に表示された図柄に影響される場合がある。従って、第２停止テーブルは、第１回胴に停止表示された図柄に応じて複数用意されており、図１９のＳ３０６では、第１回胴に何れの図柄が停止表示されたかに応じて適切な第２停止テーブルを抽出する。尚、前述したように、各回胴２０ａ，２０ｂ，２０ｃの停止位置は、内部当選している遊技役に左右されるため、第１停止テーブルも第２停止テーブルも共に、内部当選している遊技役に応じてそれぞれ設定されている。
【０１１１】
以上では、停止させる回胴が第１回胴であった場合（図１９のＳ２９０：ｙｅｓ）に行われる処理について説明したが、停止させる回胴が第１回胴ではなかった場合、すなわち、既に何れかの回胴が停止している場合には（Ｓ３００：ｎｏ）、停止させる回胴が第２回胴であるか否かを判断する（Ｓ３１０）。そして、第２回胴であると判断された場合は（Ｓ３０８：ｙｅｓ）、Ｓ３０６で抽出した第２停止テーブルを参照しながら、先に検出した回胴停止ボタン操作時の第２回胴の回転位置（図１８のＳ２６０）に基づいて、前述した第１回胴の場合と同様に、第２回胴の停止位置を決定した後（Ｓ３１２）、決定した位置で第２回胴を停止する（Ｓ３１２）。
【０１１２】
これに対して、停止させる図柄が第２回胴ではなかった場合（Ｓ３０８：ｎｏ）、すなわち既に第１回胴および第２回胴は停止しており第３回胴を停止させる場合は、第２停止テーブルを参照しながら、先に検出した回胴停止ボタン操作時の第３回胴の回転位置（図１８のＳ２６０）に基づいて、第３回胴の停止位置を決定する（Ｓ３１４）。第２停止テーブルには、図２０に示したような第２回胴および第３回胴の両方の停止情報（停止時間）が設定されていることから、第３回胴の停止位置を決定する際にも第２停止テーブルを参照する。こうして決定した位置で第３回胴を停止したら（Ｓ３１４）、図１９の回胴停止制御処理を終了して、図１８に示した回胴回転停止処理に復帰する。
【０１１３】
以上に説明したように、回胴回転停止処理では、内部当選している遊技役に応じて適切な停止テーブルを抽出するとともに、回胴停止ボタン３８ａ，３８ｂ，３８ｃの何れかが操作されると、対応する回胴のボタン操作時の回転位置に基づいて、停止テーブルを参照しながら停止位置を決定することによって、各回胴２０ａ，２０ｂ，２０ｃを適切な位置で停止させるようになっている。
【０１１４】
全ての回胴２０ａ，２０ｂ，２０ｃを停止させたら、図７および図８に示した遊技制御処理に復帰して、停止表示された図柄組合せに基づいた処理を行った後（図８のＳ１３６〜Ｓ１６４）、遊技終了コマンドをサブ制御基板２２０に向けて送信する（Ｓ１６８）。そして、再び遊技制御処理の先頭に戻って、遊技状態設定処理に続く上述した一連の処理を繰り返す。
【０１１５】
Ｃ−５．特殊再遊技役対応処理  ：
図２３は、本実施例の特殊再遊技役対応処理を示すフローチャートである。特殊再遊技役対応処理は、遊技制御処理内で「特殊再遊技役Ａ」、「特殊再遊技役Ｂ」、「特殊再遊技役Ｃ」のうち少なくとも１つの入賞が成立したときに行われる処理である（図８のＳ１６４）。特殊再遊技役対応処理では、「特殊再遊技役Ａ」、「特殊再遊技役Ｂ」、「特殊再遊技役Ｃ」の入賞態様に応じて特殊ＲＴ状態を開始する処理（Ｓ６００：特殊ＲＴ状態開始処理）が行われた後、特殊ＲＴ状態を開始する場合に、所定時間が経過するまで投入操作有効化処理（図７のＳ１０２）の実行を禁止して遊技メダルの投入を受け付けないようにし、次の遊技開始を不能にする処理（Ｓ６０２：フリーズ処理）が行われる。以下では、特殊ＲＴ状態開始処理およびフリーズ処理について説明するが、その準備として、各特殊再遊技役の入賞態様について説明する。
【０１１６】
図２４および図２５は、本実施例の各特殊再遊技役の入賞態様を示す説明図である。図２４および図２５に示す入賞態様は、「再遊技役」、「特殊再遊技役Ａ」、「特殊再遊技役Ｂ」、「特殊再遊技役Ｃ」に重複当選した場合に、回胴停止ボタン３８ａ，３８ｂ，３８ｃが遊技者により各々異なる所定の操作タイミング（回胴停止ボタン３８ａ，３８ｂ，３８ｃが操作されたときの回胴２０ａ，２０ｂ，２０ｃの回転位置が異なるタイミング）で操作されることで停止表示される態様である。
【０１１７】
図２４（ａ）は、回胴停止ボタン３８ａ，３８ｂ，３８ｃが第１の操作タイミングで操作されて、「特殊再遊技役Ａ」のみの入賞が成立する一態様を示す説明図である。図２４（ａ）に示すように、「特殊再遊技役Ａ」のみの入賞が成立する場合は、中段の入賞ラインＬ２に「特殊再遊技役Ａに対応する図柄組合せ」が停止表示する。また、図２４（ｂ）は、回胴停止ボタン３８ａ，３８ｂ，３８ｃが第２の操作タイミングで操作されて、「特殊再遊技役Ｂ」のみの入賞が成立する一態様を示す説明図である。図２４（ｂ）に示すように、特殊再遊技役Ｂのみの入賞が成立する場合は、中段の入賞ラインＬ２に「特殊再遊技役Ｂに対応する図柄組合せ」が停止表示する。
【０１１８】
また、図２４（ｃ）および図２４（ｄ）は、「特殊再遊技役Ａ」、「特殊再遊技役Ｂ」が重複して入賞（以下、重複入賞ともいう）する態様を例示する説明図である。この場合は、回胴停止ボタン３８ａ，３８ｂ，３８ｃが第３の操作タイミングで操作されると、図２４（ｃ）に示すように、「特殊再遊技役Ａに対応する図柄組合せ」が中段の入賞ラインＬ２に停止表示し、「特殊再遊技役Ｂに対応する図柄組合せ」が下段の入賞ラインＬ３、右斜め下方向きの入賞ラインＬ５の合計２本の入賞ラインに停止表示する。また、回胴停止ボタン３８ａ，３８ｂ，３８ｃが第４の操作タイミングで操作されると、図２４（ｄ）に示すように、「特殊再遊技役Ａに対応する図柄組合せ」が右斜め上方向きの入賞ラインＬ４、右斜め下方向きの入賞ラインＬ５の合計２本の入賞ラインに停止表示し、「特殊再遊技役Ｂに対応する図柄組合せ」が中段の入賞ラインＬ２に停止表示する。
【０１１９】
また、図２５は、「特殊再遊技役Ａ」、「特殊再遊技役Ｂ」、「特殊再遊技役Ｃ」が重複入賞する態様を例示する説明図である。この場合は、回胴停止ボタン３８ａ，３８ｂ，３８ｃが第５の操作タイミングで操作されると、図２５（ａ）に示すように、「特殊再遊技役Ａに対応する図柄組合せ」が下段の入賞ラインＬ３、右斜め上方向きの入賞ラインＬ４、右斜め下方向きの入賞ラインＬ５の合計３本の入賞ラインに停止表示し、「特殊再遊技役Ｂに対応する図柄組合せ」が中段の入賞ラインＬ２に停止表示し、「特殊再遊技役Ｃに対応する図柄組合せ」が上段の入賞ラインＬ１に停止表示する。また、回胴停止ボタン３８ａ，３８ｂ，３８ｃが第６の操作タイミングで操作されると、図２５（ｂ）に示すように、「特殊再遊技役Ａに対応する図柄組合せ」が右斜め上方向きの入賞ラインＬ４に停止表示し、「特殊再遊技役Ｂに対応する図柄組合せ」が中段の入賞ラインＬ２、下段の入賞ラインＬ３、右斜め下方向きの入賞ラインＬ５の合計３本の入賞ラインに停止表示し、「特殊再遊技役Ｃに対応する図柄組合せ」が上段の入賞ラインＬ１に停止表示する。
【０１２０】
また、回胴停止ボタン３８ａ，３８ｂ，３８ｃが第７の操作タイミングで操作されると、図２５（ｃ）に示すように、「特殊再遊技役Ａに対応する図柄組合せ」が中段の入賞ラインＬ２、右斜め下方向きの入賞ラインＬ５の合計２本の入賞ラインに停止表示し、「特殊再遊技役Ｂに対応する図柄組合せ」が上段の入賞ラインＬ１、右斜め上方向きの入賞ラインＬ４の合計２本の入賞ラインに停止表示し、「特殊再遊技役Ｃに対応する図柄組合せ」が下段の入賞ラインＬ３に停止表示する。また、回胴停止ボタン３８ａ，３８ｂ，３８ｃが第８の操作タイミングで操作されると、図２５（ｄ）に示すように、「特殊再遊技役Ａに対応する図柄組合せ」が右斜め上方向きの入賞ラインＬ４、右斜め下方向きの入賞ラインＬ５の合計２本の入賞ラインに停止表示し、「特殊再遊技役Ｂに対応する図柄組合せ」が中段の入賞ラインＬ２に停止表示し、「特殊再遊技役Ｃに対応する図柄組合せ」が上段の入賞ラインＬ１、下段の入賞ラインＬ３の合計２本の入賞ラインに停止表示する。
【０１２１】
このように、「再遊技役」、「特殊再遊技役Ａ」、「特殊再遊技役Ｂ」、「特殊再遊技役Ｃ」に重複当選した場合には、図２４および図２５に示す入賞態様での停止表示を、回胴停止ボタンの第１〜第８の操作タイミングの各々に応じて可能とする停止テーブルが選択される。なお、第１〜第８の操作タイミングは、回胴停止ボタン３８ａ，３８ｂ，３８ｃが操作されたときの回胴２０ａ，２０ｂ，２０ｃの少なくとも１つの回転位置（基準位置）が異なるタイミングであればよい。もちろん、該停止テーブルの選択は、図１８および図１９を用いて前述した回胴回転停止処理において行われる。
【０１２２】
特殊ＲＴ状態開始処理では、上述したような各入賞態様に応じた処理が行われる。図２６および図２７は、本実施例の特殊ＲＴ状態開始処理を示すフローチャートである。特殊ＲＴ状態開始処理を開始すると、主制御基板２００のＣＰＵ２０１は先ず、各特殊再遊技役に対応する図柄組合せが停止表示された入賞ラインを検出して、該入賞ラインをそれぞれの「特殊再遊技役入賞ライン記憶領域」に記憶する処理を行う（Ｓ７００、Ｓ７０４、Ｓ７０８）。また、各特殊再遊技役に対応する図柄組合せが停止表示された入賞ライン数を計数して、該入賞ライン数をそれぞれの「特殊再遊技役入賞ライン数記憶領域」に記憶する処理を行う（Ｓ７０２、Ｓ７０６、Ｓ７１０）。
【０１２３】
図２８は、本実施例の「特殊再遊技役入賞ライン記憶領域」および「特殊再遊技役入賞ライン数記憶領域」を概念的に示す説明図である。これらの記憶領域は、各特殊再遊技役Ａ〜Ｃに区別されて、主制御基板２００に搭載されたＲＡＭ２０３の所定アドレスに確保されている。なかでも、「特殊再遊技役入賞ライン記憶領域」には、各入賞ラインＬ１〜Ｌ５に対応して、「特殊再遊技役に対応する図柄組合せ」が停止表示されたことを示す「１」、あるいは停止表示されていないことを示す「０」が記憶される。また、「特殊再遊技役入賞ライン数記憶領域」には、「特殊再遊技役に対応する図柄組合せ」が停止表示された入賞ライン数が記憶される。
【０１２４】
Ｓ７００の処理では、各入賞ラインＬ１〜Ｌ５について「特殊再遊技役Ａに対応する図柄組合せ」が停止表示されているか否かを判断して、「特殊再遊技役Ａに対応する図柄組合せ」が停止表示されていれば該入賞ラインを「特殊再遊技役Ａ入賞ライン記憶領域」に記憶する。そして、Ｓ７０２の処理では、「特殊再遊技役Ａに対応する図柄組合せ」が停止表示された入賞ライン数を計数して「特殊再遊技役Ａ入賞ライン数記憶領域」に記憶する。これらの処理は、「特殊再遊技役Ｂに対応する図柄組合せ」、「特殊再遊技役Ｃに対応する図柄組合せ」に対しても同様に行われる（Ｓ７０４〜Ｓ７１０）。
【０１２５】
こうして、各特殊再遊技役に対応する図柄組合せが停止表示された入賞ラインを検出するとともに該入賞ラインの数を計数したら、「特殊再遊技役Ａに対応する図柄組合せ」が停止表示された入賞ライン数（以下、入賞ライン数Ａともいう）が「０」か否かを判断する（Ｓ７１２）。そして、入賞ライン数Ａが「０」であれば（Ｓ７１２：ｎｏ）、今度は、「特殊再遊技役Ｂに対応する図柄組合せ」が停止表示された入賞ライン数（以下、入賞ライン数Ｂともいう）が「０」か否かを判断する（Ｓ７１４）。その結果、入賞ライン数Ｂが停止表示された入賞ライン数も「０」であれば（Ｓ７１４：ｎｏ）、そのまま特殊ＲＴ状態開始処理を終了して、図２３に示す特殊再遊技役対応処理に復帰する。すなわち、「特殊再遊技役Ａに対応する図柄組合せ」および「特殊再遊技役Ｂに対応する図柄組合せ」の何れも入賞ラインに停止表示されてなければ、特殊ＲＴ状態は開始しない。
【０１２６】
これに対して、Ｓ７１４の処理で、入賞ライン数Ｂが「０」でないと判断されたら（Ｓ７１４：ｙｅｓ）、チャンスＲＴ状態フラグをＯＦＦに設定する（Ｓ７１６）。すなわち、図１５を用いて前述したように特殊再遊技役Ｂに内部当選するのはチャンスＲＴ状態中であることから、「特殊再遊技役Ｂに対応する図柄組合せ」が入賞ラインに停止表示されるのもチャンスＲＴ状態中である。そこで、該チャンスＲＴ状態を終了するべくチャンスＲＴ状態フラグをＯＦＦに設定する。続いて、特殊ＲＴ状態を開始すべく特殊ＲＴ状態フラグをＯＮに設定するとともに（Ｓ７１８）、該特殊ＲＴ状態を遊技が１００回行われるまで継続すべく（継続期間を１００回にすべく）特殊ＲＴカウンタの値に「１００」を設定する（Ｓ７２０）。その後、特殊ＲＴ状態開始処理を終了して、図２３に示す特殊再遊技役対応処理に復帰する。
【０１２７】
以上のように、「特殊再遊技役Ａに対応する図柄組合せ」および「特殊再遊技役Ｂに対応する図柄組合せ」のうち、「特殊再遊技役Ｂに対応する図柄組合せ」のみが入賞ラインに停止表示された場合は、チャンスＲＴ状態を終了して継続期間１００回のＲＴ状態を開始する。
【０１２８】
一方、Ｓ７１２の処理で、入賞ライン数Ａが「０」でないと判断されたら（Ｓ７１２：ｙｅｓ）、入賞ライン数Ｂが「０」か否かを判断する（Ｓ７２２）。その結果、入賞ライン数Ｂが「０」であれば（Ｓ７２２：ｎｏ）、チャンスＲＴ状態フラグをＯＦＦに設定する。すなわち、図１５を用いて前述したように特殊再遊技役Ａに内部当選するのはチャンスＲＴ状態中であることから、「特殊再遊技役Ａに対応する図柄組合せ」が入賞ラインに停止表示されるのもチャンスＲＴ状態中である。そこで、該チャンスＲＴ状態を終了するべくチャンスＲＴ状態フラグをＯＦＦに設定する。続いて、特殊ＲＴ状態を開始すべく特殊ＲＴ状態フラグをＯＮに設定するとともに（Ｓ７２６）、該特殊ＲＴ状態を遊技が５０回行われるまで継続すべく（継続期間を５０回にすべく）特殊ＲＴカウンタの値に「５０」を設定する（Ｓ７２８）。その後、特殊ＲＴ状態開始処理を終了して、図２３に示す特殊再遊技役対応処理に復帰する。
【０１２９】
以上のように、「特殊再遊技役Ａに対応する図柄組合せ」および「特殊再遊技役Ｂに対応する図柄組合せ」のうち、「特殊再遊技役Ａに対応する図柄組合せ」のみが入賞ラインに停止表示された場合は、チャンスＲＴ状態を終了して継続期間５０回のＲＴ状態を開始する。
【０１３０】
Ｓ７２２の処理で、入賞ライン数Ｂが「０」でないと判断された場合（Ｓ７２２：ｙｅｓ）、すなわち、「特殊再遊技役Ａに対応する図柄組合せ」および「特殊再遊技役Ｂに対応する図柄組合せ」の両方が入賞ラインに停止表示された場合は、特殊再遊技役Ｃ加算抽選処理を実行する（Ｓ７３０）。
【０１３１】
ここで、詳しくは後述するが、本実施例の遊技機１では、「特殊再遊技役Ａに対応する図柄組合せ」および「特殊再遊技役Ｂに対応する図柄組合せ」の両方が入賞ラインに停止表示された場合には、入賞ライン数Ａと入賞ライン数Ｂとを比較して、少ない方の図柄組合せに対応する態様の特殊ＲＴ状態を開始する。また、「特殊再遊技役Ａに対応する図柄組合せ」および「特殊再遊技役Ｂに対応する図柄組合せ」に加えて、「特殊再遊技役Ｃに対応する図柄組合せ」が停止表示された場合には、「特殊再遊技役Ｃに対応する図柄組合せ」が停止表示された入賞ライン数（以下、入賞ライン数Ｃともいう）を入賞ライン数Ａおよび入賞ライン数Ｂのうち何れかに加算してから、入賞ライン数Ａと入賞ライン数Ｂとを比較して、少ない方の図柄組合せに対応する態様の特殊ＲＴ状態を開始する。
【０１３２】
Ｓ７３０の特殊再遊技役Ｃ加算抽選処理では、入賞ライン数Ｃを入賞ライン数Ａおよび入賞ライン数Ｂのうち何れの入賞ライン数に加算するかを選択するための抽選が行われる。尚、該特殊再遊技役Ｃ加算抽選処理では、所定のタイミングで取得した乱数の値に応じて何れに加算するかが選択される。
【０１３３】
該特殊再遊技役Ｃ加算抽選処理の結果、入賞ライン数Ｃを入賞ライン数Ａに加算することが選択されれば（Ｓ７３２：ｙｅｓ）、入賞ライン数Ｃを入賞ライン数Ａに加算する（Ｓ７３４）。また、入賞ライン数Ｃを入賞ライン数Ｂに加算することが選択されれば（Ｓ７３２：ｎｏ）、入賞ライン数Ｃを入賞ライン数Ｂに加算する（Ｓ７３６）。すなわち、「特殊再遊技役Ｃ入賞ライン数記憶領域」に記憶されている入賞ライン数を、「特殊再遊技役Ａ入賞ライン数記憶領域」に記憶されている入賞ライン数または「特殊再遊技役Ｂ入賞ライン数記憶領域」に記憶されている入賞ライン数に加算する。
【０１３４】
そして、入賞ライン数Ａと入賞ライン数Ｂとを比較して、入賞ライン数Ａの方が少ない場合は（Ｓ７３８：ｙｅｓ）、チャンスＲＴ状態を終了すべくチャンスＲＴ状態フラグをＯＦＦに設定した後（Ｓ７４０）、継続期間５０回の特殊ＲＴ状態を開始すべく、特殊ＲＴ状態フラグをＯＮに設定するとともに（Ｓ７４２）特殊ＲＴカウンタの値を「５０」に設定する（Ｓ７４４）。その後、特殊ＲＴ状態開始処理を終了して、図２３に示す特殊再遊技役対応処理に復帰する。
【０１３５】
これに対して、入賞ライン数Ｂの方が少ない場合は（Ｓ７３８：ｎｏ）、チャンスＲＴ状態を終了すべくチャンスＲＴ状態フラグをＯＦＦに設定した後（Ｓ７５０）、継続期間１００回の特殊ＲＴ状態を開始すべく、特殊ＲＴ状態フラグをＯＮに設定するとともに（Ｓ７５２）特殊ＲＴカウンタの値を「１００」に設定する（Ｓ７５４）。その後、特殊ＲＴ状態開始処理を終了して、図２３に示す特殊再遊技役対応処理に復帰する。
【０１３６】
ここで、図２４および図２５を用いて前述した各入賞態様に応じて、特殊ＲＴ状態を開始する処理について説明する。図２４（ａ）に示す入賞態様の場合は、「特殊再遊技役Ａに対応する図柄組合せ」のみが入賞ラインに停止表示されるので、「特殊再遊技役Ａに対応する図柄組合せ」に対応する継続期間５０回の特殊ＲＴ状態を開始する（図２６のＳ７２４〜Ｓ７２８）。また、図２４（ｂ）に示す入賞態様の場合は、「特殊再遊技役Ｂに対応する図柄組合せ」のみが入賞ラインに停止表示されるので、「特殊再遊技役Ｂに対応する図柄組合せ」に対応する継続期間１００回の特殊ＲＴ状態を開始する（図２６のＳ７１６〜Ｓ７２０）。
【０１３７】
また、図２４（ｃ）に示す入賞態様の場合は、入賞ライン数Ａが１本であり、入賞ライン数Ｂが２本であり、入賞ライン数Ｃが０本である。この場合は、入賞ライン数Ｃが０本であるので、そのまま入賞ライン数Ａと入賞ライン数Ｂとが比較される。その結果、入賞ライン数Ａの方が少ないので、「特殊再遊技役Ａに対応する図柄組合せ」に対応する継続期間５０回の特殊ＲＴ状態を開始する（図２７のＳ７４０〜Ｓ７４４）。また、図２４（ｄ）に示す入賞態様の場合は、入賞ライン数Ａが２本であり、入賞ライン数Ｂが１本であり、入賞ライン数Ｃが０本である。この場合も、入賞ライン数Ｃが０本であるので、そのまま入賞ライン数Ａと入賞ライン数Ｂとが比較される。その結果、入賞ライン数Ｂの方が少ないので、「特殊再遊技役Ｂに対応する図柄組合せ」に対応する継続期間１００回の特殊ＲＴ状態を開始する（図２７のＳ７５０〜Ｓ７５４）。
【０１３８】
また、図２５（ａ）に示す入賞態様の場合は、入賞ライン数Ａが３本であり、入賞ライン数Ｂが１本であり、入賞ライン数Ｃが１本である。この場合は、入賞ライン数Ｃを入賞ライン数Ａあるいは入賞ライン数Ｂの何れに加算しても、入賞ライン数Ｂの方が少ないので、「特殊再遊技役Ｂに対応する図柄組合せ」に対応する継続期間１００回の特殊ＲＴ状態を開始する（図２７のＳ７５０〜Ｓ７５４）。図２５（ｂ）に示す入賞態様の場合は、入賞ライン数Ａが１本であり、入賞ライン数Ｂが３本であり、入賞ライン数Ｃが１本である。この場合は、入賞ライン数Ｃを入賞ライン数Ａあるいは入賞ライン数Ｂの何れに加算しても、入賞ライン数Ａの方が少ないので、「特殊再遊技役Ａに対応する図柄組合せ」に対応する継続期間５０回の特殊ＲＴ状態を開始する（図２７のＳ７４０〜Ｓ７４４）。
【０１３９】
また、図２５（ｃ）に示す入賞態様の場合は、入賞ライン数Ａが２本であり、入賞ライン数Ｂが２本であり、入賞ライン数Ｃが１本である。また、図２５（ｄ）に示す入賞態様の場合は、入賞ライン数Ａが２本であり、入賞ライン数Ｂが１本であり、入賞ライン数Ｃが３本である。これらの場合は、入賞ライン数Ｃが入賞ライン数Ａあるいは入賞ライン数Ｂの何れに加算されるかによって、入賞ライン数Ａあるいは入賞ライン数Ｂの何れが少なくなるかが決定される。その結果、入賞ライン数Ａが少なくなれば、「特殊再遊技役Ａに対応する図柄組合せ」に対応する継続期間５０回の特殊ＲＴ状態を開始して（図２７のＳ７４０〜Ｓ７４４）、入賞ライン数Ｂが少なくなれば、「特殊再遊技役Ｂに対応する図柄組合せ」に対応する継続期間１００回の特殊ＲＴ状態を開始する（図２７のＳ７５０〜Ｓ７５４）。
【０１４０】
以上のように、「特殊再遊技役Ａに対応する図柄組合せ」、「特殊再遊技役Ｂに対応する図柄組合せ」が入賞ラインに停止表示されて、「特殊再遊技役Ｃに対応する図柄組合せ」が入賞ラインに停止表示されない場合は、そのまま入賞ライン数Ａと入賞ライン数Ｂとが比較されて、入賞ライン数Ａの方が少ない場合は「特殊再遊技役Ａに対応する図柄組合せ」に対応する継続期間５０回の特殊ＲＴ状態が開始され、入賞ライン数Ｂの方が少ない場合は「特殊再遊技役Ｂに対応する図柄組合せ」に対応する継続期間１００回の特殊ＲＴ状態が開始される。
【０１４１】
また、「特殊再遊技役Ａに対応する図柄組合せ」、「特殊再遊技役Ｂに対応する図柄組合せ」、「特殊再遊技役Ｃに対応する図柄組合せ」が入賞ラインに停止表示された場合は、入賞ライン数Ｃを入賞ライン数Ａあるいは入賞ライン数Ｂに加算した上で、入賞ライン数Ａと入賞ライン数Ｂとが比較される。その結果、入賞ライン数Ａの方が少ない場合は「特殊再遊技役Ａに対応する図柄組合せ」に対応する継続期間５０回の特殊ＲＴ状態が開始され、入賞ライン数Ｂの方が少ない場合は「特殊再遊技役Ｂに対応する図柄組合せ」に対応する継続期間１００回の特殊ＲＴ状態が開始される。
【０１４２】
次に、図２３に示す特殊再遊技役対応処理において、特殊ＲＴ状態開始処理（Ｓ６００）に続いて行われるフリーズ処理（Ｓ６０２）について説明する。
【０１４３】
図２９および図３０は、本実施例のフリーズ処理を示すフローチャートである。フリーズ処理を開始すると、主制御基板２００のＣＰＵ２０１は先ず、特殊ＲＴ状態フラグがＯＮに設定されているか否か、すなわち、今回の遊技で特殊再遊技役の入賞が成立したことによって特殊ＲＴ状態が開始されたか否かを確認する（Ｓ８００）。その結果、特殊ＲＴ状態が開始されていなければ（Ｓ８００：ｎｏ）、そのままフリーズ処理を終了する。つまり、特殊ＲＴ状態が開始されない場合は後述のフリーズ期間を開始しない。
【０１４４】
これに対して、特殊ＲＴ状態が開始される場合は（Ｓ８００：ｙｅｓ）、次の遊技開始を不能にする期間であるフリーズ時間（フリーズ期間）の計測を開始する（Ｓ８０２）。そして、サブ制御基板２２０に向けて、回胴バックライト２０Ｌの消灯を指示する消灯コマンドを送信する（Ｓ８０４）。続いて、「特殊再遊技役Ａに対応する図柄組合せ」が停止表示された入賞ラインおよび「特殊再遊技役Ｂに対応する図柄組合せ」が停止表示された入賞ラインを点灯するまでの待機時間である第１点灯待機時間の計測を開始する（Ｓ８０６）。第１点灯待機時間の計測を開始したら、該第１点灯待機時間の経過を待機する（Ｓ８０８）。
【０１４５】
そして、第１点灯待機時間が経過したら（Ｓ８０８：ｙｅｓ）、「特殊再遊技役Ａに対応する図柄組合せ」が停止表示された入賞ラインを「青色」に点灯することを指示するコマンド（特殊再遊技役Ａ入賞ライン青色点灯コマンド）および「特殊再遊技役Ｂに対応する図柄組合せ」が停止表示された入賞ラインを「赤色」に点灯することを指示するコマンド（特殊再遊技役Ｂ入賞ライン赤色点灯コマンド）をサブ制御基板に向けて送信する（Ｓ８１０、Ｓ８１２）。特殊再遊技役Ａ入賞ライン青色点灯コマンドには、「特殊再遊技役Ａに対応する図柄組合せ」が停止表示された入賞ラインを示す情報が含まれている。該入賞ラインは、図２８に示す特殊再遊技役Ａ入賞ライン記憶領域の記憶内容を参照することにより把握される。また、特殊再遊技役Ｂ入賞ライン赤色点灯コマンドには、「特殊再遊技役Ｂに対応する図柄組合せ」が停止表示された入賞ラインを示す情報が含まれている。該入賞ラインは、図２８に示す特殊再遊技役Ｂ入賞ライン記憶領域の記憶内容を参照することにより把握される。
【０１４６】
次に、「特殊再遊技役Ｃに対応する図柄組合せ」が停止表示された入賞ラインを点灯するまでの待機時間である第２点灯待機時間の計測を開始する（Ｓ８１４）。第２点灯待機時間の計測を開始したら、該第２点灯待機時間の経過を待機する（Ｓ８１６）。
【０１４７】
そして、第２点灯待機時間が経過したら（Ｓ８１６：ｙｅｓ）、先立って行われた特殊ＲＴ状態開始処理で、入賞ライン数Ｃが入賞ライン数Ａあるいは入賞ライン数Ｂに加算されたか否かを判断する（図３０のＳ８１８）。そして、入賞ラインＣが加算されていれば、入賞ライン数Ａおよび入賞ライン数Ｂの何れに加算されたかを判断する（Ｓ８２０）。その結果、入賞ライン数Ｃが入賞ライン数Ａに加算されていれば（Ｓ８２０：ｙｅｓ）、「特殊再遊技役Ｃに対応する図柄組合せ」が停止表示された入賞ラインを「青色」に点灯することを指示するコマンド（特殊再遊技役Ｃ入賞ライン青色点灯コマンド）をサブ制御基板２２０に向けて送信する（Ｓ８２２）。これに対して、入賞ライン数Ｃが入賞ライン数Ｂに加算されていれば（Ｓ８２０：ｎｏ）、「特殊再遊技役Ｃに対応する図柄組合せ」が停止表示された入賞ラインを「赤色」に点灯することを指示するコマンド（特殊再遊技役Ｃ入賞ライン赤色点灯コマンド）をサブ制御基板２２０に向けて送信する（Ｓ８２２）。すなわち、入賞ライン数Ｃが入賞ライン数Ａに加算されていれば「特殊再遊技役Ａに対応する図柄組合せ」が停止表示された入賞ラインと同じ「青色」に点灯することを指示するコマンドを送信し、入賞ライン数Ｃが入賞ライン数Ｂに加算されていれば「特殊再遊技役Ｂに対応する図柄組合せ」が停止表示された入賞ラインと同じ「赤色」に点灯することを指示するコマンドを送信する。
【０１４８】
こうして、「特殊再遊技役Ｃに対応する図柄組合せ」が停止表示された入賞ラインの点灯を指示するコマンドを送信したら（Ｓ８２２、Ｓ８２４）、あるいは、入賞ライン数Ａおよび入賞ライン数Ｂの何れにも入賞ライン数Ｃを加算しなかった場合は（Ｓ８１８：ｎｏ）、今回開始する特殊ＲＴ状態の継続期間を報知するまでの待機時間である継続期間報知待機時間の計測を開始する（Ｓ８２６）。継続期間報知待機時間の計測を開始したら、該継続期間報知待機時間の経過を待機する（Ｓ８２８）。
【０１４９】
そして、継続期間報知待機時間が経過したら（Ｓ８２８：ｙｅｓ）、特殊ＲＴカウンタの値に「５０」が設定されているか否か、すなわち、今回開始する特殊ＲＴ状態の継続期間が５０回か１００回かを判断する（Ｓ８２９）。その結果、５０回であれば（Ｓ８２９：ｙｅｓ）、今回開始する特殊ＲＴ状態の継続期間が５０回であることの報知を指示するコマンド（継続期間５０回報知コマンド）をサブ制御基板２２０に向けて送信し（Ｓ８３０）、１００回であれば（Ｓ８２９：ｎｏ）、今回開始する特殊ＲＴ状態の継続期間が１００回であることの報知を指示するコマンド（継続期間１００回報知コマンド）を送信する（Ｓ８３２）
【０１５０】
こうして、継続期間５０回報知コマンドあるいは継続期間１００回報知コマンドを送信したら、そのままフリーズ時間が経過するのを待機する（Ｓ８３４）。そして、フリーズ時間が経過したら（Ｓ８３４：ｙｅｓ）、図２８に示す特殊再遊技役入賞ライン記憶領域および特殊再遊技役入賞ライン数記憶領域の記憶内容をクリアするとともに（Ｓ８３６）、フリーズ処理を終了して、図２３に示す特殊再遊技役対応処理に復帰する。
【０１５１】
尚、フリーズ時間は、第１点灯待機時間、第２点灯待機時間、継続期間報知待機時間の合計より長く設定されている。例えば、フリーズ時間は１０秒に設定され、第１点灯時間は３秒に設定され、第２点灯時間は４秒に設定され、継続期間報知待機時間は２秒に設定されている。
【０１５２】
以上のように、フリーズ時間が経過するまで（フリーズ期間が終了するまで）フリーズ処理の終了を待機するので、該フリーズ時間が経過するまでは次の遊技制御処理が開始されない。これにより、フリーズ時間が経過するまでは、遊技メダルの投入を受け付けず、スタートレバー３６が操作されても回胴２０ａ，２０ｂ，２０ｃは停止したままの状態となる。
【０１５３】
尚、主制御基板２００に搭載されているＣＰＵ２０１は、上述の処理を実行することによって、内部抽選および停止テーブルの選択を行って、回転開始部材（スタートレバー３６）が操作されたときに、遊技媒体を投入せずに次の遊技を行うことを可能とする再遊技役に対応する図柄組合せ（再遊技図柄組合せ）を含む複数の図柄組合せの中から、一または複数の図柄組合せを決定する。従って、主制御基板２００のＣＰＵ２０１は、本発明における「図柄組合せ決定手段」に対応している。
【０１５４】
また、主制御基板２００に搭載されているＣＰＵ２０１は、上述の処理を実行することによって、「特殊再遊技役Ｂに対応する図柄組合せ」（第１図柄組合せ）と「特殊再遊技役Ａに対応する図柄組合せ」（第２図柄組合せ）とが重複して入賞成立する停止テーブルが選択された（重複して決定された）場合に、「特殊再遊技役Ａに対応する図柄組合せ」（第２図柄組合せ）が停止表示する入賞ラインの数よりも「特殊再遊技役Ｂに対応する図柄組合せ」（第１図柄組合せ）が停止表示する入賞ラインの数の方が多くなるように回胴を停止させる第１停止制御と、「特殊再遊技役Ｂに対応する図柄組合せ」（第１図柄組合せ）が停止表示する入賞ラインの数よりも「特殊再遊技役Ａに対応する図柄組合せ」（第２図柄組合せ）が停止表示する入賞ラインの数の方が多くなるように回胴を停止させる第２停止制御と、のいずれかを実行する。従って、主制御基板２００のＣＰＵ２０１は、本発明における「停止制御手段」に対応している。
【０１５５】
また、主制御基板２００に搭載されているＣＰＵ２０１は、上述の処理を実行することによって、「特殊再遊技役Ｂに対応する図柄組合せ」（第１図柄組合せ）に対応する継続期間１００回の特殊ＲＴ状態（第１の再遊技高確率状態）と、「特殊再遊技役Ａに対応する図柄組合せ」（第２図柄組合せ）に対応する継続期間５０回の特殊ＲＴ状態（第２の再遊技高確率状態）と、のいずれかを発生させる。そして、上述の第１停止制御または第２停止制御が実行された場合には、「特殊再遊技役Ｂに対応する図柄組合せ」（第１図柄組合せ）と「特殊再遊技役Ａに対応する図柄組合せ」（第２図柄組合せ）とのうち、少ない数の入賞ラインに停止表示した図柄組合せに対応する特殊ＲＴ状態（再遊技高確率状態）を発生させる。従って、主制御基板２００のＣＰＵ２０１は、本発明における「再遊技低確率状態発生手段」に対応している。
【０１５６】
また、入賞ライン数Ｃは、入賞ライン数Ａあるいは入賞ライン数Ｂに加算される。従って、「特殊再遊技役Ｃに対応する図柄組合せ」は、入賞ライン数Ｃが入賞ライン数Ａに加算される場合は、本発明における「第２図柄組合せ」に対応しており、入賞ライン数Ｃが入賞ライン数Ｂに加算される場合は、本発明における「第１図柄組合せ」に対応している。
【０１５７】
Ｄ．特殊ＲＴ状態継続期間報知処理  ：
サブ制御基板２２０に搭載されているＣＰＵ２２１は、上述した遊技制御処理に連動させて演出制御処理を実行する。演出制御処理が行われることによって、演出表示装置１０や、各種ランプ類１２、スピーカ１４、回胴バックライト２０Ｌなどを用いた各種演出が実行される。以下では、このような演出制御処理の中で実行される「特殊ＲＴ状態継続期間報知処理」について説明する。
【０１５８】
図３１は、サブ制御基板２２０に搭載されているＣＰＵ２２１が実行する「特殊ＲＴ状態継続期間報知処理」を示すフローチャートである。特殊ＲＴ状態継続期間報知処理を開始すると、サブ制御基板２２０のＣＰＵ２２１は先ず、消灯コマンドを受信したか否かを判断する（Ｓ１０００）。図２９を用いて前述したように、消灯コマンドは、特殊ＲＴ状態が開始されるとともにフリーズ期間が開始されるときに、主制御基板２００から送信されるコマンドである。消灯コマンドを受信したら（Ｓ１０００：ｙｅｓ）、回胴バックライト２０Ｌを消灯する（Ｓ１００２）。すなわち、本実施例の遊技機１では、チャンスＲＴ状態中に「特殊再遊技役Ａに対応する図柄組合せ」および「特殊再遊技役Ｂに対応する図柄組合せ」の少なくとも一方が入賞成立して特殊ＲＴ状態が開始されると、フリーズ期間が開始されて回胴バックライト２０Ｌが消灯される。通常、回胴バックライト２０Ｌは回胴２０ａ，２０ｂ，２０ｃ全体を裏側から照らしているので、回胴バックライト２０Ｌが消灯すると、該回胴に遊技者の注目を引き付け、ひいては停止表示された「特殊再遊技役Ａに対応する図柄組合せ」や「特殊再遊技役Ｂに対応する図柄組合せ」に遊技者の注目を引き付けることが可能となる。
【０１５９】
次に、特殊再遊技役Ａ入賞ライン青色点灯コマンドを受信した否かを判断する（Ｓ１００４）。図２９を用いて前述したように、特殊再遊技役Ａ入賞ライン青色点灯コマンドは、フリーズ期間が開始されて回胴バックライト２０Ｌを消灯した後、第１点灯待機時間が経過したら、主制御基板２００から送信されるコマンドである。また、特殊再遊技役Ａ入賞ライン青色点灯コマンドには、「特殊再遊技役Ａに対応する図柄組合せ」が停止表示された入賞ラインを示す情報が含まれている。特殊再遊技役Ａ入賞ライン青色点灯コマンドを受信したら（Ｓ１００４：ｙｅｓ）、「特殊再遊技役Ａに対応する図柄組合せ」が停止表示された入賞ラインに対応する回胴バックライト２０Ｌを青色に点灯する（Ｓ１００６）。
【０１６０】
次に、特殊再遊技役Ｂ入賞ライン赤色点灯コマンドを受信した否かを判断する（Ｓ１００８）。図２９を用いて前述したように、特殊再遊技役Ｂ入賞ライン赤色点灯コマンドは、フリーズ期間が開始されて回胴バックライト２０Ｌを消灯した後、第１点灯待機時間が経過したら、主制御基板２００から送信されるコマンドである。また、特殊再遊技役Ｂ入賞ライン赤色点灯コマンドには、「特殊再遊技役Ｂに対応する図柄組合せ」が停止表示された入賞ラインを示す情報が含まれている。特殊再遊技役Ｂ入賞ライン赤色点灯コマンドを受信したら（Ｓ１００８：ｙｅｓ）、「特殊再遊技役Ｂに対応する図柄組合せ」が停止表示された入賞ラインに対応する回胴バックライト２０Ｌを赤色に点灯する（Ｓ１０１０）。
【０１６１】
次に、特殊再遊技役Ｃ入賞ライン青色点灯コマンドを受信した否かを判断する（図３２のＳ１０１２）。図３０を用いて前述したように、特殊再遊技役Ｃ入賞ライン青色点灯コマンドは、「特殊再遊技役Ａに対応する図柄組合せ」が停止表示された入賞ラインが青色に点灯され、「特殊再遊技役Ｂに対応する図柄組合せ」が停止表示された入賞ラインが赤色に点灯された後、第２点灯待機時間が経過したら、主制御基板２００から送信されるコマンドである。また、特殊再遊技役Ｃ入賞ライン青色点灯コマンドは、入賞ライン数Ｃを入賞ライン数Ａに加算するときに送信されるコマンドである。また、特殊再遊技役Ｃ入賞ライン青色点灯コマンドには、「特殊再遊技役Ｃに対応する図柄組合せ」が停止表示された入賞ラインを示す情報が含まれている。特殊再遊技役Ｃ入賞ライン青色点灯コマンドを受信したら（Ｓ１０１２：ｙｅｓ）、「特殊再遊技役Ｃに対応する図柄組合せ」が停止表示された入賞ラインに対応する回胴バックライト２０Ｌを青色に点灯する（Ｓ１０１４）。
【０１６２】
次に、特殊再遊技役Ｃ入賞ライン赤色点灯コマンドを受信した否かを判断する（Ｓ１０１６）。特殊再遊技役Ｃ入賞ライン赤色点灯コマンドは、「特殊再遊技役Ｃに対応する図柄組合せ」が停止表示された入賞ラインを「赤色」に点灯することを指示すること、入賞ライン数Ｃを「入賞ライン数Ｂ」に加算するときに送信されること、が上述の特殊再遊技役Ｃ入賞ライン青色点灯コマンドと異なる。特殊再遊技役Ｃ入賞ライン赤色点灯コマンドを受信したら（Ｓ１０１６：ｙｅｓ）、「特殊再遊技役Ｃに対応する図柄組合せ」が停止表示された入賞ラインに対応する回胴バックライト２０Ｌを赤色に点灯する（Ｓ１０１８）。
【０１６３】
次に、継続期間５０回報知コマンドを受信したか否かを判断する（Ｓ１０２０）。図３０を用いて前述したように、継続期間５０回報知コマンドは、「特殊再遊技役Ｃに対応する図柄組合せ」が停止表示された入賞ラインを青色または赤色に点灯した後、継続期間報知待機時間が経過したら、主制御基板２００から送信されるコマンドである。あるいは、入賞ライン数Ｃを入賞ライン数Ａおよび入賞ライン数Ｂの何れにも加算しなかったことから、第２点灯待機時間が経過しても「特殊再遊技役Ｃに対応する図柄組合せ」が停止表示された入賞ラインを点灯せずに、その後継続期間報知待機時間が経過したら、主制御基板２００から送信されるコマンドである。また、継続期間５０回報知コマンドは、継続期間５０回の特殊ＲＴ状態を開始するときに送信されるコマンドである。継続期間５０回報知コマンドを受信したら（Ｓ１０２０：ｙｅｓ）、演出表示装置１０を用いて継続期間５０回の特殊ＲＴ状態を開始することを報知する（Ｓ１０２２）。
【０１６４】
次に、継続期間１００回報知コマンドを受信したか否かを判断する（Ｓ１０２４）。継続期間１００回報知コマンドは、継続期間１００回の特殊ＲＴ状態を開始するときに送信されることが、継続期間５０回報知コマンドと異なる。継続期間１００回報知コマンドを受信したら（Ｓ１０２４：ｙｅｓ）、演出表示装置１０を用いて継続期間１００回の特殊ＲＴ状態を開始することを報知する（Ｓ１０２６）。
【０１６５】
図３３は、本実施例の入賞ラインの点灯態様を例示する説明図である。この入賞ラインの点灯態様は、サブ制御基板２２０のＣＰＵ２２１が上述の特殊ＲＴ状態継続期間報知処理を行うことによって実現される。図３３に示す例では、「特殊再遊技役Ａに対応する図柄組合せ」が中段の入賞ラインＬ２、右斜め下方向きの入賞ラインＬ５の合計２本の入賞ラインに停止表示し、「特殊再遊技役Ｂに対応する図柄組合せ」が上段の入賞ラインＬ１、右斜め上方向きの入賞ラインＬ４の合計２本の入賞ラインに停止表示し、「特殊再遊技役Ｃに対応する図柄組合せ」が下段の入賞ラインＬ３に停止表示した場合を示している（図２５（ｃ）参照）。且つ、入賞ライン数Ｃが入賞ライン数Ａに加算された場合を示している。
【０１６６】
このような入賞態様で回胴２０ａ，２０ｂ，２０ｃが停止すると、先ず回胴バックライト２０Ｌを消灯する。これにより、回胴（入賞態様）に遊技者の注目を引き付けることが可能となる。そして、第１点灯待機時間が経過すると、「特殊再遊技役Ａに対応する図柄組合せ」が停止表示された入賞ラインＬ２、Ｌ５を青色に点灯し、「特殊再遊技役Ｂに対応する図柄組合せ」が停止表示された入賞ラインＬ１、Ｌ４を赤色に点灯する。これにより、入賞ライン数Ａおよび入賞ライン数Ｂを遊技者に明示して認識させることが可能となる。また、遊技者は、自己にとってより有利な継続期間１００回の特殊ＲＴ状態が開始することを期待するので、入賞ライン数Ａと入賞ライン数Ｂとを遊技者に比較させることが可能となる。また、入賞ライン数Ｃが入賞ライン数Ａに加算されて、入賞ライン数Ｂが入賞ライン数Ａより少なくなること、すなわち、「特殊再遊技役Ｃに対応する図柄組合せ」が停止表示された入賞ラインＬ３が青色に点灯されることを期待させることが可能となる。
【０１６７】
このような状態で、第２点灯待機時間が経過すると、「特殊再遊技役Ｃに対応する図柄組合せ」が停止表示された入賞ラインＬ３が青色に点灯される。これにより、最終的な（入賞ライン数Ｃが加算された後の）入賞ライン数Ａおよび入賞ライン数Ｂを遊技者に認識させるとともに、入賞ライン数Ａと入賞ライン数Ｂを比較させる。その結果、継続期間１００回の特殊ＲＴ状態が開始されることを認識させて、遊技者に達成感を与えることが可能となる。
【０１６８】
Ｅ．本実施例の遊技機が奏する効果  ：
「特殊再遊技役Ａに対応する図柄組合せ」、「特殊再遊技役Ｂに対応する図柄組合せ」、「特殊再遊技役Ｃに対応する図柄組合せ」のうち、「特殊再遊技役Ｂに対応する図柄組合せ」のみが入賞ラインに停止表示された場合には、「特殊再遊技役Ａに対応する図柄組合せ」のみが入賞ラインに停止表示された場合よりも優位な態様で（すなわち継続期間１００回の）特殊ＲＴ状態を開始させる。従って、「特殊再遊技役Ａに対応する図柄組合せ」および「特殊再遊技役Ｂに対応する図柄組合せ」、「特殊再遊技役Ｃに対応する図柄組合せ」のうち何れが停止表示されるかに遊技者を注目させることが可能となる。その結果、遊技興趣を高めることが可能となる。
【０１６９】
また、「特殊再遊技役Ａに対応する図柄組合せ」、「特殊再遊技役Ｂに対応する図柄組合せ」、「特殊再遊技役Ｃに対応する図柄組合せ」のうち、「特殊再遊技役Ａに対応する図柄組合せ」、「特殊再遊技役Ｂに対応する図柄組合せ」のみが停止表示される場合には、次のような処理が行われる。つまり、「特殊再遊技役Ａに対応する図柄組合せ」が停止表示された入賞ライン数（入賞ライン数Ａ）と「特殊再遊技役Ｂに対応する図柄組合せ」が停止表示された入賞ライン数（入賞ライン数Ｂ）とを比較して、入賞ライン数Ａの方が少なければ継続期間５０回の特殊ＲＴ状態を開始させ、入賞ライン数Ｂの方が少なければ継続期間１００回の特殊ＲＴ状態を開始させる。従って、遊技者に、「特殊再遊技役Ａに対応する図柄組合せ」が停止表示された入賞ライン数、および「特殊再遊技役Ｂに対応する図柄組合せ」が停止表示された入賞ライン数に注目させるとともに、これらの入賞ライン数を比較させることが可能となる。その結果、特殊ＲＴ状態の発生時に新たな面白みを付加し、遊技興趣を高めることが可能となる。
【０１７０】
また、「特殊再遊技役Ａに対応する図柄組合せ」、「特殊再遊技役Ｂに対応する図柄組合せ」、「特殊再遊技役Ｃに対応する図柄組合せ」が停止表示される場合には、次のような処理が行われる。つまり、「特殊再遊技役Ｃに対応する図柄組合せ」が停止表示された入賞ライン数（入賞ライン数Ｃ）を、「特殊再遊技役Ａに対応する図柄組合せ」が停止表示された入賞ライン数（入賞ライン数Ａ）、および「特殊再遊技役Ｂに対応する図柄組合せ」が停止表示された入賞ライン数（入賞ライン数Ｂ）のうち何れかに加算する。そして、該加算を行った後に、入賞ライン数Ａと入賞ライン数Ｂとを比較して、入賞ライン数Ａの方が少なければ継続期間５０回の特殊ＲＴ状態を開始させ、入賞ライン数Ｂの方が少なければ継続期間１００回の特殊ＲＴ状態を開始させる。従って、遊技者に、「特殊再遊技役Ｃに対応する図柄組合せ」に注目させるとともに、「特殊再遊技役Ｃに対応する図柄組合せ」が停止表示された入賞ライン数が、「特殊再遊技役Ａに対応する図柄組合せ」が停止表示された入賞ライン数、および「特殊再遊技役Ｂに対応する図柄組合せ」が停止表示された入賞ライン数のうち何れに加算されるかに注目させることが可能となる。その結果、特殊ＲＴ状態の発生時に新たな面白みを付加し、遊技興趣を高めることが可能となる。
【０１７１】
また、「特殊再遊技役に対応する図柄組合せ」が入賞ラインに停止表示されて特殊ＲＴ状態が開始される際には、回胴バックライト２０Ｌを消灯してフリーズ期間を開始するので、「特殊再遊技役に対応する図柄組合せ」に対する遊技者の注目を一層強くすることが可能となる。
【０１７２】
また、フリーズ期間が開始されてから第１点灯時間が経過すると「特殊再遊技役Ａに対応する図柄組合せ」が停止表示された入賞ラインと、「特殊再遊技役Ｂに対応する図柄組合せ」が停止表示された入賞ラインとを異なる色で点灯させて表示するので、これらの図柄組合せに対する遊技者の注目を一層強くすることが可能となる。また、これらの入賞ライン数を容易に比較させることができる。
【０１７３】
また、フリーズ期間が開始されてから第２点灯時間が経過すると「特殊再遊技役Ｃに対応する図柄組合せ」が停止表示された入賞ラインを、「特殊再遊技役Ａに対応する図柄組合せ」が停止表示された入賞ライン、および「特殊再遊技役Ｂに対応する図柄組合せ」が停止表示された入賞ラインのうち、入賞ライン数Ｃが加算された方と同じ色に点灯させる。これにより、遊技者に対して、入賞ライン数Ｃが入賞ライン数Ａおよび入賞ライン数Ｂの何れに加算されたかを容易に認識させることが可能となる。
【０１７４】
Ｆ．変形例  ：
次に変形例について説明する。本変形例は、図２６および図２７を用いて前述した特殊ＲＴ状態開始処理の一部が実施例と異なる。
【０１７５】
図３４は、本変形例の特殊ＲＴ状態開始処理の一部を示すフローチャートである。図３４には、実施例の特殊ＲＴ状態開始処理におけるＳ７３８以降の処理に相当する部分が示されている。本変形例の特殊ＲＴ状態開始処理では、実施例と同様に、入賞ライン数Ｃを入賞ライン数Ａあるいは入賞ライン数Ｂに加算した後、入賞ライン数Ａと入賞ライン数Ｂとを比較する。その結果、入賞ライン数Ａが入賞ライン数Ｂより少なければ（Ｓ１１００（Ｓ７３８相当）：ｙｅｓ）、チャンスＲＴ状態を終了するとともに、継続期間５０回の特殊ＲＴ状態を開始する（Ｓ１１０２〜Ｓ１１０６（Ｓ７４０〜Ｓ７４４相当）。
【０１７６】
一方、入賞ライン数Ｂが入賞ライン数Ａより少なければ（Ｓ１１００：ｎｏ）、入賞ライン数Ｂと入賞ライン数Ａとの差が２以上か否かを判断する。その結果、この差が１であれば、チャンスＲＴ状態を終了するとともに（Ｓ１１１０）、継続期間１００回の特殊ＲＴ状態を開始する（Ｓ１１１２、Ｓ１１１４）。これに対して、入賞ライン数Ｂと入賞ライン数Ａとの差が２以上であれば（Ｓ：ｙｅｓ）、チャンスＲＴ状態を終了するとともに（Ｓ１１１６）、継続期間１５０回の特殊ＲＴ状態を開始する（Ｓ１１１８、Ｓ１１２０）。
【０１７７】
以上のように、本変形例では、「特殊再遊技役Ａに対応する図柄組合せ」、「特殊再遊技役Ｂに対応する図柄組合せ」、「特殊再遊技役Ｃに対応する図柄組合せ」のうち、「特殊再遊技役Ａに対応する図柄組合せ」、「特殊再遊技役Ｂに対応する図柄組合せ」のみが停止表示される場合には、次のような処理が行われる。つまり、「特殊再遊技役Ａに対応する図柄組合せ」が停止表示された入賞ライン数（入賞ライン数Ａ）と「特殊再遊技役Ｂに対応する図柄組合せ」が停止表示された入賞ライン数（入賞ライン数Ｂ）とを比較して、入賞ライン数Ａの方が少なければ継続期間５０回の特殊ＲＴ状態を開始させる。これに対して、入賞ライン数Ｂの方が少なければ入賞ライン数Ａと入賞ライン数Ｂとの差に応じた特殊ＲＴ状態（継続期間１００回あるいは継続期間１５０回）を開始させる。従って、遊技者に、「特殊再遊技役Ａに対応する図柄組合せ」が停止表示された入賞ライン数、および「特殊再遊技役Ｂに対応する図柄組合せ」が停止表示された入賞ライン数との差に注目させることが可能となる。その結果、特殊ＲＴ状態の発生時に新たな面白みを付加し、遊技興趣を高めることが可能となる。
【０１７８】
また、「特殊再遊技役Ａに対応する図柄組合せ」、「特殊再遊技役Ｂに対応する図柄組合せ」、「特殊再遊技役Ｃに対応する図柄組合せ」が停止表示される場合には、次のような処理が行われる。つまり、「特殊再遊技役Ｃに対応する図柄組合せ」が停止表示された入賞ライン数（入賞ライン数Ｃ）を、「特殊再遊技役Ａに対応する図柄組合せ」が停止表示された入賞ライン数（入賞ライン数Ａ）、および「特殊再遊技役Ｂに対応する図柄組合せ」が停止表示された入賞ライン数（入賞ライン数Ｂ）のうち何れかに加算する。そして、該加算を行った後に、入賞ライン数Ａと入賞ライン数Ｂとを比較して、入賞ライン数Ａの方が少なければ継続期間５０回の特殊ＲＴ状態を開始させる。これに対して、入賞ライン数Ｂの方が少なければ入賞ライン数Ａと入賞ライン数Ｂとの差に応じた特殊ＲＴ状態（継続期間１００回あるいは継続期間１５０回）を開始させる。従って、遊技者に、入賞ライン数Ｃが加算された後の、入賞ライン数Ａと入賞ライン数Ｂとの差に注目させることが可能となる。その結果、特殊ＲＴ状態の発生時に新たな面白みを付加し、遊技興趣を高めることが可能となる。
【０１７９】
尚、主制御基板２００のＣＰＵ２０１は、上述した処理を実行することによって、上述の第１停止制御または上述の第２停止制御が実行される場合には、「特殊再遊技役Ｂに対応する図柄組合せ」（第１図柄組合せ）が停止表示される入賞ラインの数と、「特殊再遊技役Ａに対応する図柄組合せ」（第２図柄組合せ）が停止表示される入賞ラインの数との差に基づき、特殊ＲＴ状態の継続期間（再遊技高確率状態の態様）を決定する。従って、主制御基板２００のＣＰＵ２０１は、本発明における「再遊技高確率状態態様決定手段」に対応している。
【０１８０】
以上、本発明について実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１８１】
例えば、上述した実施例では、特殊再遊技役に対応する図柄組合せが入賞ライン上に停止表示されたときに特殊ＲＴ状態を開始する構成としたが、特殊再遊技役に対応する図柄組合せが入賞ラインとは異なるラインに停止表示されたときに特殊ＲＴ状態を開始する構成としてもよい。
【０１８２】
また、上述した実施例では、入賞ライン数Ｃを入賞ライン数Ａおよび入賞ライン数Ｂの何れに加算するかを抽選により選択する構成としたが、予め何れの入賞ライン数に加算するかが設定されている構成としてもよい。
【０１８３】
また、上述した実施例では、特殊再遊技役Ａ、特殊再遊技役Ｂ、特殊再遊技役Ｃの入賞が成立した場合は、入賞ライン数Ｃを入賞ライン数Ａあるいは入賞ライン数Ｂに加算する構成としたが、入賞ライン数Ｃは、入賞ライン数Ａと入賞ライン数Ｂとが同数の場合に限り何れかに加算する構成としてもよい。
【０１８４】
また、入賞ライン数Ａと入賞ライン数Ｂとが等しい場合には、特殊ＲＴ状態を開始しない構成としてもよい。
【０１８５】
また、上述した実施例では、回胴バックライト２０Ｌによって、特殊再遊技役に対応する図柄組合せが停止表示された入賞ラインを報知する構成としたが、該報知を演出表示装置１０や、各種ランプ類１２、スピーカ１４などを用いて行う構成としてもよい。
【０１８６】
また、上述した実施例では、図２４および図２５に示した特殊再遊技役の各入賞態様は、回胴停止ボタン３８ａ，３８ｂ，３８ｃの操作タイミングに基づき決定することとしていたが、特殊再遊技役の入賞態様を異ならせる手法はこれに限定されるものではない。たとえば、「再遊技役」、「特殊再遊技役Ａ」、「特殊再遊技役Ｂ」、「特殊再遊技役Ｃ」のうちの２以上を重複当選させる重複当選態様を様々に設定し、当該重複当選態様の種類と、回胴停止ボタン３８ａ，３８ｂ，３８ｃの操作タイミングとに応じて特殊再遊技役の入賞態様を決定するようにしてもよい。例えば、「再遊技役」および「特殊再遊技役Ａ」を重複当選させる重複当選態様Ａと、「再遊技役」および「特殊再遊技役Ｂ」を重複当選させる重複当選態様Ｂを設け、これら重複当選態様と、回胴停止ボタン３８ａ，３８ｂ，３８ｃの操作タイミングとに応じて特殊再遊技役の入賞態様を決定するようにしてもよい。また、別の手法として、再遊技役に当選したときに、遊技役の抽選とは異なる「特殊再遊技役の入賞態様決定用の抽選」を行い、図２４および図２５に示した特殊再遊技役の入賞態様のいずれかを決定するように構成してもよい。
【産業上の利用可能性】
【０１８７】
本発明は、遊技ホールで用いられる遊技機に利用することができる。
【符号の説明】
【０１８８】
１…回胴式遊技機（遊技機）、１０…演出表示装置、２０ａ，２０ｂ，２０ｃ…回胴、３６…スタートレバー（回転開始部材）、３８ａ，３８ｂ，３８ｃ…回胴停止ボタン（回転停止部材）、２００…主制御基板、２０１…ＣＰＵ（図柄組合せ設定手段、再遊技高確率状態発生手段、停止制御手段、再遊技高確率状態態様決定手段）、２２０…サブ制御基板、２２１…ＣＰＵ。
【図１】
0005477353.tif 000002
【図２】
0005477353.tif 000003
【図３】
0005477353.tif 000004
【図４】
0005477353.tif 000005
【図５】
0005477353.tif 000006
【図６】
0005477353.tif 000007
【図７】
0005477353.tif 000008
【図８】
0005477353.tif 000009
【図９】
0005477353.tif 000010
【図１０】
0005477353.tif 000011
【図１１】
0005477353.tif 000012
【図１２】
0005477353.tif 000013
【図１３】
0005477353.tif 000014
【図１４】
0005477353.tif 000015
【図１５】
0005477353.tif 000016
【図１６】
0005477353.tif 000017
【図１７】
0005477353.tif 000018
【図１８】
0005477353.tif 000019
【図１９】
0005477353.tif 000020
【図２０】
0005477353.tif 000021
【図２１】
0005477353.tif 000022
【図２２】
0005477353.tif 000023
【図２３】
0005477353.tif 000024
【図２４】
0005477353.tif 000025
【図２５】
0005477353.tif 000026
【図２６】
0005477353.tif 000027
【図２７】
0005477353.tif 000028
【図２８】
0005477353.tif 000029
【図２９】
0005477353.tif 000030
【図３０】
0005477353.tif 000031
【図３１】
0005477353.tif 000032
【図３２】
0005477353.tif 000033
【図３３】
0005477353.tif 000034
【図３４】
0005477353.tif 000035